(57)【要約】  いくつかの態様では、ＰＤＣＰエンティティがパケットを送ることを可能にする２つの論理チャネルがあるＰＤＣＰ重複においてＲＬＣ障害を扱うための方法、装置、およびコンピュータプログラム製品が提供される。いくつかの態様では、無線ネットワークノードは、１次論理チャネルおよび２次論理チャネルとサービングセルの間のマッピングと、このマッピングが無線デバイス用に設定され得るやり方とを判定し得る。いくつかの態様では、無線デバイスは、１次論理チャネルと２次論理チャネルすなわちＲＬＣエンティティのうちどちらが障害を起こしているかに応じて、異なるアクションを行い得る。いくつかの態様では、ＰＤＣＰ重複で動作する無線デバイスは、ＲＬＦプロシージャをトリガすることなく、２次論理チャネルをサポートする無線リンクの障害について無線ネットワークノードに通知してよい。【選択図】図５
2021520718.tif 000002
【特許請求の範囲】
【請求項１】
少なくともセルの第１のセットおよびセルの第２のセットによってサーブされる無線デバイスにおける方法であって、前記無線デバイスは、少なくとも１つの無線ネットワークノードに接続されて、重複モードで動作し、前記方法は、
前記無線デバイスのパケットデータコンバージェンスプロトコル（ＰＤＣＰ）エンティティから受信されたデータを搬送する第１の無線リンク制御（ＲＬＣ）プロトコルデータユニット（ＰＤＵ）を、前記無線デバイスの第１のＲＬＣエンティティから、１次論理チャネルを通じて、前記セルの第１のセットに関連した第１のＲＬＣエンティティに送信し、前記無線デバイスの前記ＰＤＣＰエンティティから受信された重複データを搬送する第２のＲＬＣ  ＰＤＵを、前記無線デバイスの第２のＲＬＣエンティティから、２次論理チャネルを通じて、前記セルの第２のセットに関連した第２のＲＬＣエンティティに送信することと、
前記２次論理チャネルをサポートする無線リンクの障害を判定することと、
前記２次論理チャネルをサポートする無線リンクの障害の判定に応答して、前記２次論理チャネルをサポートする無線リンクの前記障害について前記無線ネットワークノードに通知することと、
を含む方法。
【請求項２】
前記２次論理チャネルをサポートする無線リンクの前記障害について前記無線ネットワークノードに通知することが、前記２次論理チャネルをサポートする無線リンクの前記障害に関する情報を含むメッセージを前記無線ネットワークノードに送信することを含む、請求項１に記載の方法。
【請求項３】
前記メッセージが無線リソース制御（ＲＲＣ）メッセージである、請求項２に記載の方法。
【請求項４】
前記メッセージがＰＤＣＰ−ＤｕｐｌｉｃａｔｉｏｎＦａｉｌｕｒｅＩｎｆｏｒｍａｔｉｏｎメッセージである、請求項３に記載の方法。
【請求項５】
前記２次論理チャネルをサポートする無線リンクの前記障害に関する情報が、前記２次論理チャネルの識別情報、前記セルの第２のセットのうち少なくとも１つのセルの識別情報、前記２次論理チャネルを搬送するベアラの識別情報、および／または前記２次論理チャネルをサポートする前記無線リンクに関連した周波数リソースの識別情報を含む、請求項２から４のいずれか一項に記載の方法。
【請求項６】
前記２次論理チャネルをサポートする無線リンクの障害の判定に応答して、前記無線デバイスの前記第１のＲＬＣエンティティをアクティブに保ったまま前記第２のＲＬＣエンティティを一時停止することをさらに含む請求項１から５のいずれか一項に記載の方法。
【請求項７】
前記１次論理チャネルが前記セルの第１のセットにマッピングされ、前記２次論理チャネルが前記セルの第２のセットにマッピングされることを指示する設定情報を、前記無線ネットワークノードから受信することをさらに含む請求項１から６のいずれか一項に記載の方法。
【請求項８】
前記無線ネットワークノードから設定情報を受信することに応答して、前記１次論理チャネルおよび前記２次論理チャネルを設定し、前記１次論理チャネルを前記セルの第１のセットにマッピングし、前記２次論理チャネルを前記セルの第２のセットにマッピングすることをさらに含む請求項７に記載の方法。
【請求項９】
前記無線ネットワークノードから設定情報を受信することが、前記１次論理チャネルが前記セルの第１のセットにマッピングされ、前記２次論理チャネルが前記セルの第２のセットにマッピングされることを指示する設定メッセージを、前記無線ネットワークノードから受信することを含む、請求項７または８に記載の方法。
【請求項１０】
前記設定メッセージが無線リソース制御（ＲＲＣ）メッセージである、請求項９に記載の方法。
【請求項１１】
前記メッセージがＲＲＣＣｏｎｎｅｃｔｉｏｎＳｅｔｕｐメッセージまたはＲＲＣＣｏｎｎｅｃｔｉｏｎＲｅｃｏｎｆｉｇｕｒａｔｉｏｎメッセージである、請求項１０に記載の方法。
【請求項１２】
前記セルの第１のセットと前記セルの第２のセットが両方とも前記無線ネットワークノードによって管理される、請求項１から１１のいずれか一項に記載の方法。
【請求項１３】
前記セルの第１のセットが前記無線ネットワークノードによって管理され、前記セルの第２のセットが別の無線ネットワークノードによって管理される、請求項１から１１のいずれか一項に記載の方法。
【請求項１４】
前記セルの第１のセットが１つまたは複数のセルを備え、前記セルの第２のセットが１つまたは複数のセルを備える、請求項１から１３のいずれか一項に記載の方法。
【請求項１５】
少なくともセルの第１のセットおよびセルの第２のセットによってサーブされ、少なくとも１つの無線ネットワークノードに接続されるように設定された無線デバイスであって、重複モードで動作するとき、
前記無線デバイスのパケットデータコンバージェンスプロトコル（ＰＤＣＰ）エンティティから受信されたデータを搬送する第１の無線リンク制御（ＲＬＣ）プロトコルデータユニット（ＰＤＵ）を、前記無線デバイスの第１のＲＬＣエンティティから、１次論理チャネルを通じて、前記セルの第１のセットに関連した第１のＲＬＣエンティティに送信し、前記無線デバイスの前記ＰＤＣＰエンティティから受信された重複データを搬送する第２のＲＬＣ  ＰＤＵを、前記無線デバイスの第２のＲＬＣエンティティから、２次論理チャネルを通じて、前記セルの第２のセットに関連した第２のＲＬＣエンティティに送信し、
前記２次論理チャネルをサポートする無線リンクの障害を判定し、
前記２次論理チャネルをサポートする無線リンクの障害の判定に応答して、前記２次論理チャネルをサポートする無線リンクの前記障害について前記無線ネットワークノードに通知するように適合されている無線デバイス。
【請求項１６】
前記２次論理チャネルをサポートする無線リンクの前記障害について前記無線ネットワークノードに通知するとき、前記２次論理チャネルをサポートする無線リンクの前記障害に関する情報を含むメッセージを前記無線ネットワークノードに送信するようにさらに適合されている請求項１５に記載の無線デバイス。
【請求項１７】
前記メッセージが無線リソース制御（ＲＲＣ）メッセージである、請求項１６に記載の無線デバイス。
【請求項１８】
前記メッセージがＰＤＣＰ−ＤｕｐｌｉｃａｔｉｏｎＦａｉｌｕｒｅＩｎｆｏｒｍａｔｉｏｎメッセージである、請求項１７に記載の無線デバイス。
【請求項１９】
前記２次論理チャネルをサポートする無線リンクの前記障害に関する情報が、前記２次論理チャネルの識別情報、前記セルの第２のセットのうち少なくとも１つのセルの識別情報、前記２次論理チャネルを搬送するベアラの識別情報、および／または前記２次論理チャネルをサポートする前記無線リンクに関連した周波数リソースの識別情報を含む、請求項１６から１８のいずれか一項に記載の無線デバイス。
【請求項２０】
前記２次論理チャネルをサポートする無線リンクの障害の判定に応答して、前記無線デバイスの前記第１のＲＬＣエンティティをアクティブに保ったまま前記第２のＲＬＣエンティティを一時停止するようにさらに適合されている請求項１５から１９のいずれか一項に記載の無線デバイス。
【請求項２１】
前記１次論理チャネルが前記セルの第１のセットにマッピングされ、前記２次論理チャネルが前記セルの第２のセットにマッピングされることを指示する設定情報を、前記無線ネットワークノードから受信するようにさらに適合されている請求項１５から２０のいずれか一項に記載の無線デバイス。
【請求項２２】
前記無線ネットワークノードから設定情報を受信することに応答して、前記１次論理チャネルおよび前記２次論理チャネルを設定し、前記１次論理チャネルを前記セルの第１のセットにマッピングし、前記２次論理チャネルを前記セルの第２のセットにマッピングするようにさらに適合されている請求項２１に記載の無線デバイス。
【請求項２３】
前記無線ネットワークノードから設定情報を受信するとき、前記１次論理チャネルが前記セルの第１のセットにマッピングされ、前記２次論理チャネルが前記セルの第２のセットにマッピングされることを指示する設定メッセージを、前記無線ネットワークノードから受信するようにさらに適合されている請求項２１または２２に記載の無線デバイス。
【請求項２４】
前記設定メッセージが無線リソース制御（ＲＲＣ）メッセージである、請求項２３に記載の無線デバイス。
【請求項２５】
前記メッセージがＲＲＣＣｏｎｎｅｃｔｉｏｎＳｅｔｕｐメッセージまたはＲＲＣＣｏｎｎｅｃｔｉｏｎＲｅｃｏｎｆｉｇｕｒａｔｉｏｎメッセージである、請求項２４に記載の無線デバイス。
【請求項２６】
前記セルの第１のセットと前記セルの第２のセットが両方とも前記無線ネットワークノードによって管理される、請求項１５から２５のいずれか一項に記載の無線デバイス。
【請求項２７】
前記セルの第１のセットが前記無線ネットワークノードによって管理され、前記セルの第２のセットが別の無線ネットワークノードによって管理される、請求項１５から２５のいずれか一項に記載の無線デバイス。
【請求項２８】
前記セルの第１のセットが１つまたは複数のセルを備え、前記セルの第２のセットが１つまたは複数のセルを備える、請求項１５から２７のいずれか一項に記載の無線デバイス。
【請求項２９】
媒体内に組み込まれたコンピュータ可読プログラムコードを有する非一時的コンピュータ可読記憶媒体を備えるコンピュータプログラム製品であって、前記コンピュータ可読プログラムコードが、請求項１から１４のいずれか一項に記載の方法に従って動作するコンピュータ可読プログラムコードを含む、コンピュータプログラム製品。
【請求項３０】
無線デバイスに接続された無線ネットワークノードにおける方法であって、前記無線デバイスは、少なくともセルの第１のセットおよびセルの第２のセットによってサーブされ、前記無線ネットワークノードは重複モードで動作し、前記方法は、
前記セルの第１のセットに関連した第１の無線リンク制御（ＲＬＣ）エンティティにおいて受信されたデータを搬送する第１のＲＬＣプロトコルデータユニット（ＰＤＵ）を、前記無線デバイスの第１のＲＬＣエンティティから、第１の論理チャネルを通じて、前記無線ネットワークノードのパケットデータコンバージェンスプロトコル（ＰＤＣＰ）エンティティにおいて受信し、前記セルの第２のセットに関連した第２のＲＬＣエンティティにおいて受信された重複データを搬送する第２のＲＬＣ  ＰＤＵを、前記無線デバイスの第２のＲＬＣエンティティから、第２の論理チャネルを通じて受信することと、
前記無線デバイスから、前記２次論理チャネルをサポートする無線リンクの障害に関する通知を受信することと、
を含む方法。
【請求項３１】
前記無線デバイスから、前記２次論理チャネルをサポートする無線リンクの障害に関する通知を受信することに応答して、前記セルの第１のセットに関連した前記第１のＲＬＣエンティティをアクティブにしたまま、前記セルの第２のセットに関連した前記第２のＲＬＣエンティティを一時停止することをさらに含む請求項３０に記載の方法。
【請求項３２】
前記１次論理チャネルが前記セルの第１のセットにマッピングされ、前記２次論理チャネルが前記セルの第２のセットにマッピングされることを指示する設定情報を、前記無線デバイスに送信することをさらに含む請求項３０または３１に記載の方法。
【請求項３３】
前記無線デバイスに設定情報を送信することが、前記１次論理チャネルが前記セルの第１のセットにマッピングされ、前記２次論理チャネルが前記セルの第２のセットにマッピングされることを指示する設定メッセージを前記無線デバイスに送信することを含む、請求項３２に記載の方法。
【請求項３４】
前記設定メッセージが無線リソース制御（ＲＲＣ）メッセージである、請求項３３に記載の方法。
【請求項３５】
前記設定メッセージがＲＲＣＣｏｎｎｅｃｔｉｏｎＳｅｔｕｐメッセージまたはＲＲＣＣｏｎｎｅｃｔｉｏｎＲｅｃｏｎｆｉｇｕｒａｔｉｏｎメッセージである、請求項３４に記載の方法。
【請求項３６】
前記無線デバイスから、前記２次論理チャネルをサポートする無線リンクの前記障害に関する通知を受信することが、前記無線デバイスから、前記２次論理チャネルをサポートする無線リンクの前記障害に関する情報を含むメッセージを受信することを含む、請求項３０から３５のいずれか一項に記載の方法。
【請求項３７】
前記メッセージが無線リソース制御（ＲＲＣ）メッセージである、請求項３６に記載の方法。
【請求項３８】
前記メッセージがＰＤＣＰ−ＤｕｐｌｉｃａｔｉｏｎＦａｉｌｕｒｅＩｎｆｏｒｍａｔｉｏｎメッセージである、請求項３７に記載の方法。
【請求項３９】
前記２次論理チャネルをサポートする無線リンクの前記障害に関する情報が、前記２次論理チャネルの識別情報、前記セルの第２のセットのうち少なくとも１つのセルの識別情報、前記２次論理チャネルを搬送するベアラの識別情報、および／または前記２次論理チャネルをサポートする前記無線リンクに関連した周波数リソースの識別情報を含む、請求項３６から３８のいずれか一項に記載の方法。
【請求項４０】
前記セルの第１のセットと前記セルの第２のセットが両方とも前記無線ネットワークノードによって管理される、請求項３０から３９のいずれか一項に記載の方法。
【請求項４１】
前記セルの第１のセットが前記無線ネットワークノードによって管理され、前記セルの第２のセットが別の無線ネットワークノードによって管理される、請求項３０から３９のいずれか一項に記載の方法。
【請求項４２】
前記セルの第１のセットが１つまたは複数のセルを備え、前記セルの第２のセットが１つまたは複数のセルを備える、請求項３０から４１のいずれか一項に記載の方法。
【請求項４３】
無線デバイスに接続されるように設定されている無線ネットワークノードであって、前記無線デバイスは、少なくともセルの第１のセットおよびセルの第２のセットによってサーブされるように設定され、前記無線ネットワークノードは、重複モードで動作するとき、
前記セルの第１のセットに関連した第１の無線リンク制御（ＲＬＣ）エンティティにおいて受信されたデータを搬送する第１のＲＬＣプロトコルデータユニット（ＰＤＵ）を、前記無線デバイスの第１のＲＬＣエンティティから、第１の論理チャネルを通じて、前記無線ネットワークノードのパケットデータコンバージェンスプロトコル（ＰＤＣＰ）エンティティにおいて受信し、前記セルの第２のセットに関連した第２のＲＬＣエンティティにおいて受信された重複データを搬送する第２のＲＬＣ  ＰＤＵを、前記無線デバイスの第２のＲＬＣエンティティから、第２の論理チャネルを通じて受信し、
前記無線デバイスから、前記２次論理チャネルをサポートする無線リンクの障害に関する通知を受信するように適合されている無線ネットワークノード。
【請求項４４】
前記無線デバイスから、前記２次論理チャネルをサポートする無線リンクの障害に関する通知を受信することに応答して、前記セルの第１のセットに関連した前記第１のＲＬＣエンティティをアクティブにしたまま、前記セルの第２のセットに関連した前記第２のＲＬＣエンティティを一時停止するようにさらに適合されている請求項４３に記載の無線ネットワークノード。
【請求項４５】
前記１次論理チャネルが前記セルの第１のセットにマッピングされ、前記２次論理チャネルが前記セルの第２のセットにマッピングされることを指示する設定情報を、前記無線デバイスに送信するようにさらに適合されている請求項４３または４４に記載の無線ネットワークノード。
【請求項４６】
前記無線デバイスに設定情報を送信するとき、前記１次論理チャネルが前記セルの第１のセットにマッピングされ、前記２次論理チャネルが前記セルの第２のセットにマッピングされることを指示する設定メッセージを前記無線デバイスに送信するようにさらに適合されている請求項４５に記載の無線ネットワークノード。
【請求項４７】
前記設定メッセージが無線リソース制御（ＲＲＣ）メッセージである、請求項４６に記載の無線ネットワークノード。
【請求項４８】
前記設定メッセージがＲＲＣＣｏｎｎｅｃｔｉｏｎＳｅｔｕｐメッセージまたはＲＲＣＣｏｎｎｅｃｔｉｏｎＲｅｃｏｎｆｉｇｕｒａｔｉｏｎメッセージである、請求項４７に記載の無線ネットワークノード。
【請求項４９】
前記無線デバイスから、前記２次論理チャネルをサポートする無線リンクの前記障害に関する通知を受信するとき、前記無線デバイスから、前記２次論理チャネルをサポートする無線リンクの前記障害に関する情報を含むメッセージを受信するようにさらに適合されている請求項４３から４８のいずれか一項に記載の無線ネットワークノード。
【請求項５０】
前記メッセージが無線リソース制御（ＲＲＣ）メッセージである、請求項４９に記載の無線ネットワークノード。
【請求項５１】
前記メッセージがＰＤＣＰ−ＤｕｐｌｉｃａｔｉｏｎＦａｉｌｕｒｅＩｎｆｏｒｍａｔｉｏｎメッセージである、請求項５０に記載の無線ネットワークノード。
【請求項５２】
前記２次論理チャネルをサポートする無線リンクの前記障害に関する情報が、前記２次論理チャネルの識別情報、前記セルの第２のセットのうち少なくとも１つのセルの識別情報、前記２次論理チャネルを搬送するベアラの識別情報、および／または前記２次論理チャネルをサポートする前記無線リンクに関連した周波数リソースの識別情報を含む、請求項４９から５１のいずれか一項に記載の無線ネットワークノード。
【請求項５３】
前記セルの第１のセットと前記セルの第２のセットが両方とも前記無線ネットワークノードによって管理される、請求項４３から５２のいずれか一項に記載の無線ネットワークノード。
【請求項５４】
前記セルの第１のセットが前記無線ネットワークノードによって管理され、前記セルの第２のセットが別の無線ネットワークノードによって管理される、請求項４３から５２のいずれか一項に記載の無線ネットワークノード。
【請求項５５】
前記セルの第１のセットが１つまたは複数のセルを備え、前記セルの第２のセットが１つまたは複数のセルを備える、請求項４３から５４のいずれか一項に記載の無線ネットワークノード。
【請求項５６】
媒体内に組み込まれたコンピュータ可読プログラムコードを有する非一時的コンピュータ可読記憶媒体を備えるコンピュータプログラム製品であって、前記コンピュータ可読プログラムコードが、請求項３０から４２のいずれか一項に記載の方法に従って動作するコンピュータ可読プログラムコードを含む、コンピュータプログラム製品。
【発明の詳細な説明】
【技術分野】
【０００１】
関連出願
本出願は、参照によって内容が本明細書に組み込まれている、２０１８年４月５日に米国特許商標局において出願された、「ＲＡＤＩＯ  ＬＩＮＫ  ＦＡＩＬＵＲＥ  ＭＡＮＡＧＥＭＥＮＴ  ＩＮ  ＷＩＲＥＬＥＳＳ  ＣＯＭＭＵＮＩＣＡＴＩＯＮ  ＮＥＴＷＯＲＫＳ」という名称の米国仮特許出願第６２／６５３，１９５号の優先権の利益を主張するものである。
【０００２】
本明細書は、一般に、無線通信および無線通信ネットワークに関し、より詳細には無線通信ネットワークにおける無線リンク障害（ＲＬＦ）の管理に関する。
【背景技術】
【０００３】
ＰＤＣＰ重複
【０００４】
パケットは、信頼性を強化するために、ＰＤＣＰ重複と称される機能を用いて複製される。２つのコピーを送ることにより、１つしか送らない場合と比較して、目的地に到達する可能性を高めることが意図されている。重複が使用されるとき、１つのＰＤＣＰエンティティが、２つのＲＬＣエンティティに関連づけられ、ＰＤＣＰエンティティは、各パケットの２つのコピーを生成し、２つのＲＬＣエンティティの各々を介して１つのコピーを送る。信頼性を改善するために、２つの異なるＲＬＣエンティティからのトラフィックが別々のサービングセルにマッピングされ、これらのサービングセルが別々の周波数に関連づけられる。
【０００５】
無線リンク障害
【０００６】
ネットワークに向けたＵＥ無線リンクに問題があると、無線リンクが障害を起こす可能性がある。現在の３ＧＰＰ仕様によれば、物理レイヤがチャネルの誤り率が高すぎることを検知したとき、ＲＬＣ再送信の回数が多すぎるとき、またはランダムアクセスプロシージャ中のプリアンブル送信の試行回数が多すぎるとき、無線リンク障害（ＲＬＦ）がトリガされる。
【０００７】
ＵＥは、ＲＬＦを検知したとき、セキュリティが有効であればネットワークに対する接続を再確立することを試行し、セキュリティが有効でなければＩＤＬＥモードになる。
【発明の概要】
【０００８】
ＰＤＣＰ重複が使用されるとき、ＰＤＣＰエンティティは、１次（プライマリ）論理チャネルおよび２次（セカンダリ）論理チャネルの２つの論理チャネルを通じてパケットを送ることができる。これらの論理チャネルに問題が生じると、関連するＲＬＣエンティティが（再）送信の最大回数に到達することがあり、無線リンク障害（ＲＬＦ）プロシージャがトリガされ得る。ＲＬＦプロシージャがトリガされたとき、ＵＥはネットワークに対する接続を再確立することを試行してよい。しかしながら、再確立を遂行すると、通信における不必要な中断をもたらす可能性がある。
【０００９】
いくつかの広範な態様では、ＰＤＣＰエンティティがパケットを送ることができる論理チャネルが２つあるＰＤＣＰ重複の場合に、ＲＬＣ障害（ＲＬＣ再送信の最大回数に到達することなど）を扱うための方法、装置、およびコンピュータプログラム製品が提供される。
【００１０】
一態様によれば、いくつかの実施形態は、少なくとも１つの無線ネットワークノードに接続され、重複モード（たとえばＰＤＣＰ重複）で動作し、セルの少なくとも第１のセットおよびセルの第２のセットによってサーブされる無線デバイスによって遂行される方法を含む。この方法は、無線デバイスのパケットデータコンバージェンスプロトコル（ＰＤＣＰ）エンティティから受信された第１のＲＬＣプロトコルデータユニット（ＰＤＵ）を搬送するデータを、無線デバイスの第１の無線リンク制御（ＲＬＣ）エンティティから、１次論理チャネルを通じて、セルの第１のセットに関連した第１のＲＬＣエンティティに送信することと、無線デバイスのＰＤＣＰエンティティから受信された重複データを搬送する第２のＲＬＣ  ＰＤＵを、無線デバイスの第２のＲＬＣエンティティから、２次論理チャネルを通じて、セルの第２のセットに関連した第２のＲＬＣエンティティに送信することと、を含む。この方法はまた、２次論理チャネルをサポートする無線リンクの障害を判定し、２次論理チャネルをサポートする無線リンクの障害の判定に応答して、２次論理チャネルをサポートする無線リンクの障害について無線ネットワークノードに通知することを含む。
【００１１】
いくつかの実施形態では、この方法は、２次論理チャネルをサポートする無線リンクの障害について無線ネットワークノードに通知するとき、２次論理チャネルをサポートする無線リンクの障害に関する情報を含むメッセージを無線ネットワークノードに送信することを含んでよく、またはさらに含み得る。そのような実施形態では、メッセージは無線リソース制御（ＲＲＣ）メッセージ（たとえばＰＤＣＰ−ＤｕｐｌｉｃａｔｉｏｎＦａｉｌｕｒｅＩｎｆｏｒｍａｔｉｏｎメッセージ）でよい。いくつかの実施形態では、２次論理チャネルをサポートする無線リンクの障害に関する情報は、２次論理チャネルの識別情報、セルの第２のセットのうち少なくとも１つのセルの識別情報、２次論理チャネルを搬送するベアラの識別情報、および／または２次論理チャネルをサポートする無線リンクに関連した周波数リソースの識別情報を含み得る。
【００１２】
いくつかの実施形態では、この方法は、２次論理チャネルをサポートする無線リンクの障害の判定に応答して、第１のＲＬＣエンティティをアクティブに保ったまま無線デバイスの第２のＲＬＣエンティティを一時停止することを含んでよく、またはさらに含み得る。
【００１３】
いくつかの実施形態では、この方法は、１次論理チャネルがセルの第１のセットにマッピングされ、２次論理チャネルがセルの第２のセットにマッピングされることを指示する設定情報を、無線ネットワークノードから受信することを含んでよく、またはさらに含み得る。そのような実施形態では、この方法は、無線ネットワークノードから設定情報を受信することに応答して１次論理チャネルおよび２次論理チャネルを設定し、１次論理チャネルをセルの第１のセットにマッピングし、２次論理チャネルをセルの第２のセットにマッピングすることを含んでよく、またはさらに含み得る。いくつかの実施形態では、無線ネットワークノードから設定情報を受信することは、無線ネットワークノードから、１次論理チャネルがセルの第１のセットにマッピングされ、２次論理チャネルがセルの第２のセットにマッピングされることを指示する設定メッセージを受信することを含んでよく、またはさらに含み得る。いくつかの実施形態では、設定メッセージはＲＲＣメッセージ（たとえばＲＲＣＣｏｎｎｅｃｔｉｏｎＳｅｔｕｐメッセージまたはＲＲＣＣｏｎｎｅｃｔｉｏｎＲｅｃｏｎｆｉｇｕｒａｔｉｏｎメッセージ）でよい。
【００１４】
いくつかの実施形態では、セルの第１のセットとセルの第２のセットが両方とも無線ネットワークノードによって管理されてよい。いくつかの他の実施形態では、セルの第１のセットが無線ネットワークノードによって管理されてよく、セルの第２のセットが別の無線ネットワークノードによって管理されてもよい。
【００１５】
いくつかの実施形態では、セルの第１のセットは１つまたは複数のセルを含み得、セルの第２のセットは１つまたは複数のセルを含み得る。
【００１６】
別の態様によれば、いくつかの実施形態は、無線デバイスの説明された機能性（たとえばアクション、動作、ステップなど）のうちの１つまたは複数を遂行するように適合された、設定された、遂行することが可能な、またはその他の形で遂行するように動作可能な、無線デバイスを含む。
【００１７】
いくつかの実施形態では、無線デバイスは、１つまたは複数のトランシーバと、１つまたは複数のトランシーバに対して動作可能に接続された処理回路とを備え得る。１つまたは複数のトランシーバは、無線デバイスが、無線インターフェースを通じて１つまたは複数の無線ネットワークノードと通信することを可能にするように設定されている。処理回路は、無線デバイスが、無線デバイスの説明された機能性のうちの１つまたは複数を遂行することを可能にするように設定されている。いくつかの実施形態では、処理回路は少なくとも１つのプロセッサおよび少なくとも１つの記憶装置を備えてよく、記憶装置が記憶している命令をプロセッサが実行することより、無線デバイスは、無線デバイスの説明された機能性のうちの１つまたは複数を遂行することが可能になる。
【００１８】
いくつかの実施形態では、無線デバイスは、無線デバイスの説明された機能性のうちの１つまたは複数を遂行するように設定された１つまたは複数の機能ユニット（モジュールとも称される）を備え得る。いくつかの実施形態では、これらの機能ユニットは、無線デバイスの１つまたは複数のトランシーバおよび処理回路によって具現化され得る。
【００１９】
別の態様によれば、いくつかの実施形態はコンピュータプログラム製品を含む。コンピュータプログラム製品は、コンピュータプログラム製品の非一時的コンピュータ可読記憶媒体に記憶されたコンピュータ可読命令を含む。無線デバイスの処理回路（たとえば少なくとも１つのプロセッサ）がこれらの命令を実行することにより、無線デバイスは、無線デバイスの説明された機能性のうちの１つまたは複数を遂行することができる。
【００２０】
別の態様によれば、いくつかの実施形態は、少なくともセルの第１のセットおよびセルの第２のセットによってサーブされる無線デバイスに接続された無線ネットワークノードによって遂行される方法を含み、無線ネットワークノードは重複モード（たとえばＰＤＣＰ重複）で動作する。この方法は、無線ネットワークノードのＰＤＣＰエンティティにおいて、セルの第１のセットに関連した第１のＲＬＣエンティティにおいて受信されたデータを搬送する第１のＲＬＣ  ＰＤＵを、無線デバイスの第１のＲＬＣエンティティから、第１の論理チャネルを通じて受信することと、セルの第２のセットに関連した第２のＲＬＣエンティティにおいて受信された重複データを搬送する第２のＲＬＣ  ＰＤＵを、無線デバイスの第２のＲＬＣエンティティから、第２の論理チャネルを通じて受信することと、無線デバイスから、２次論理チャネルをサポートする無線リンクの障害に関する通知を受信することと、を含む。
【００２１】
いくつかの実施形態では、この方法は、無線デバイスから、２次論理チャネルをサポートする無線リンクの障害に関する通知を受信することに応答して、セルの第１のセットに関連した第１のＲＬＣエンティティをアクティブにしたまま、セルの第２のセットに関連した第２のＲＬＣエンティティを一時停止することを含んでよく、またはさらに含み得る。
【００２２】
いくつかの実施形態では、この方法は、無線デバイスから、２次論理チャネルをサポートする無線リンクの障害に関する通知を受信するとき、無線デバイスから、２次論理チャネルをサポートする無線リンクの障害に関する情報を含むメッセージを受信することを含んでよく、またはさらに含み得る。いくつかの実施形態では、メッセージはＲＲＣメッセージ（たとえばＰＤＣＰ−ＤｕｐｌｉｃａｔｉｏｎＦａｉｌｕｒｅＩｎｆｏｒｍａｔｉｏｎメッセージ）でよい。いくつかの実施形態では、２次論理チャネルをサポートする無線リンクの障害に関する情報は、２次論理チャネルの識別情報、セルの第２のセットのうち少なくとも１つのセルの識別情報、２次論理チャネルを搬送するベアラの識別情報、および／または２次論理チャネルをサポートする無線リンクに関連した周波数リソースの識別情報を含み得る。
【００２３】
いくつかの実施形態では、この方法は、１次論理チャネルがセルの第１のセットにマッピングされ、２次論理チャネルがセルの第２のセットにマッピングされることを指示する設定情報を、無線デバイスに送信することを含んでよく、またはさらに含み得る。そのような実施形態では、この方法は、無線デバイスに設定情報を送信するとき、１次論理チャネルがセルの第１のセットにマッピングされ、２次論理チャネルがセルの第２のセットにマッピングされることを指示する設定情報を、無線デバイスに送信することを含んでよく、またはさらに含み得る。いくつかの実施形態では、設定メッセージはＲＲＣメッセージ（たとえばＲＲＣＣｏｎｎｅｃｔｉｏｎＳｅｔｕｐメッセージまたはＲＲＣＣｏｎｎｅｃｔｉｏｎＲｅｃｏｎｆｉｇｕｒａｔｉｏｎメッセージ）でよい。
【００２４】
いくつかの実施形態では、セルの第１のセットとセルの第２のセットが両方とも無線ネットワークノードによって管理されてよい。いくつかの他の実施形態では、セルの第１のセットが無線ネットワークノードによって管理されてよく、セルの第２のセットが別の無線ネットワークノードによって管理されてもよい。
【００２５】
いくつかの実施形態では、セルの第１のセットは１つまたは複数のセルを含み得、セルの第２のセットは１つまたは複数のセルを含み得る。
【００２６】
別の態様によれば、いくつかの実施形態は、無線ネットワークノードの説明された機能性（たとえばアクション、動作、ステップなど）のうちの１つまたは複数を遂行するように適合された、設定された、遂行することが可能な、またはその他の形で遂行するように動作可能な、無線ネットワークノードを含む。
【００２７】
いくつかの実施形態では、無線ネットワークノードは、１つまたは複数のトランシーバと、１つまたは複数の通信インターフェースと、１つまたは複数のトランシーバおよび１つまたは複数の通信インターフェースに対して動作可能に接続された処理回路とを備え得る。１つまたは複数のトランシーバは、無線ネットワークノードが、無線インターフェースを通じて１つまたは複数の無線デバイスと通信することを可能にするように設定されている。１つまたは複数の通信インターフェースは、無線ネットワークノードが、（たとえば無線アクセスネットワーク通信インターフェースを介して）１つまたは複数の他の無線ネットワークノードと、（たとえばコアネットワーク通信インターフェースを介して）１つまたは複数のコアネットワークノードと、および／または１つまたは複数の他のネットワークノードと、通信することを可能にするように設定されている。処理回路は、無線ネットワークノードが、無線ネットワークノードの説明された機能性のうちの１つまたは複数を遂行することを可能にするように設定されている。いくつかの実施形態では、処理回路は少なくとも１つのプロセッサおよび少なくとも１つの記憶装置を備えてよく、記憶装置が記憶している命令をプロセッサが実行することより、無線ネットワークノードは、無線ネットワークノードの説明された機能性のうちの１つまたは複数を遂行することが可能になるように少なくとも１つのプロセッサを設定する。
【００２８】
いくつかの実施形態では、無線ネットワークノードは、無線ネットワークノードの説明された機能性のうちの１つまたは複数を遂行するように設定された１つまたは複数の機能ユニット（モジュールとも称される）を備え得る。いくつかの実施形態では、これらの機能ユニットは、無線ネットワークノードの１つまたは複数のトランシーバおよび処理回路によって具現化され得る。
【００２９】
別の態様によれば、いくつかの実施形態はコンピュータプログラム製品を含む。コンピュータプログラム製品は、コンピュータプログラム製品の非一時的コンピュータ可読記憶媒体に記憶されたコンピュータ可読命令を含む。無線ネットワークノードの処理回路（たとえば少なくとも１つのプロセッサ）がこれらの命令を実行することにより、無線ネットワークノードは、無線ネットワークノードの説明された機能性のうちの１つまたは複数を遂行することができる。
【００３０】
いくつかの実施形態により、無線ネットワークノードは、１次論理チャネルおよび２次論理チャネルとサービングセルの間のマッピングと、このマッピングが無線デバイス用に設定され得るやり方とを判定することが可能になり得る。いくつかの実施形態により、無線デバイスは、１次論理チャネルおよび２次論理チャネルすなわちＲＬＣエンティティのどちらが障害を起こしているのかに応じて、異なるアクションを行うことが可能になり得る。いくつかの実施形態により、無線デバイスは、たとえば１次論理チャネルまたは２次論理チャネルを参照することによって、どちらのサービングセルに障害が起きているのか無線ネットワークノードに指示することが可能になり得る。いくつかの実施形態により、ＰＤＣＰ重複で動作する無線デバイスは、ＲＬＦプロシージャをトリガすることなく、２次論理チャネルをサポートする無線リンクの障害について無線ネットワークノードに通知することが可能になり得る。
【００３１】
この概要はすべての企図された実施形態の広汎な概略ではなく、何らかの実施形態の主要なもしくは重要な態様もしくは特徴を識別すること、または何らかの実施形態を詳細に記述することは意図されていない。他の態様および特徴は、特定の実施形態の以下の説明を図とともに検討すれば、当業者には明らかになるはずである。
【００３２】
以下の図を参照しながら、例示的実施形態をより詳細に説明する。
【図面の簡単な説明】
【００３３】
【図１】いくつかの実施形態による例示の無線通信ネットワークの概略図である。
【図２Ａ】いくつかの実施形態による、例示のキャリアアグリゲーション（ＣＡ）配備（図２Ａ）、および例示のデュアルコネクティビティ（ＤＣ）配備（図２Ｂ）の概略図である。
【図２Ｂ】いくつかの実施形態による、例示のキャリアアグリゲーション（ＣＡ）配備（図２Ａ）、および例示のデュアルコネクティビティ（ＤＣ）配備（図２Ｂ）の概略図である。
【図３Ａ】いくつかの実施形態による、キャリアアグリゲーション（ＣＡ）配備（図３Ａ）、およびデュアルコネクティビティ（ＤＣ）配備（図３Ｂ）における、プロトコルスタックの一部分の例のブロック図である。
【図３Ｂ】いくつかの実施形態による、キャリアアグリゲーション（ＣＡ）配備（図３Ａ）、およびデュアルコネクティビティ（ＤＣ）配備（図３Ｂ）における、プロトコルスタックの一部分の例のブロック図である。
【図４】いくつかの実施形態によるシグナリング図である。
【図５】いくつかの実施形態による無線デバイスの動作の流れ図である。
【図６】いくつかの実施形態による無線ネットワークノードの動作の流れ図である。
【図７】いくつかの実施形態による無線デバイスのブロック図である。
【図８】いくつかの実施形態による無線デバイスの別のブロック図である。
【図９】いくつかの実施形態による無線ネットワークノードのブロック図である。
【図１０】いくつかの実施形態による無線ネットワークノードの別のブロック図である。
【発明を実施するための形態】
【００３４】
以下で明らかにされる実施形態は、当業者が実施形態を実施することを可能にするための情報を表すものである。当業者なら、添付の図に照らして以下の説明を読み取れば説明の概念を理解するはずであり、本明細書では詳細に扱われないこれらの概念の用途を理解するはずである。これらの概念および用途がこの説明の範囲に含まれることを理解されたい。
【００３５】
以下の説明では、多くの特定の詳細が明らかにされる。しかしながら、実施形態が、これら特定の詳細なしで実施され得ることが理解される。他の事例では、周知の回路、構造、および技術は、説明の理解を曖昧にしないように、詳細には示されていない。当業者なら、含まれた説明を用いて、不必要な実験なしで、適切な機能性を実施することができるはずである。
【００３６】
本明細書における「一実施形態（ｏｎｅ  ｅｍｂｏｄｉｍｅｎｔ）」、「一実施形態（ａｎ  ｅｍｂｏｄｉｍｅｎｔ）」、「例示の実施形態」などの参照は、説明された実施形態が、特定の機能、構造、または特性を含み得ることを指示するが、必ずしもすべての実施形態が特定の機能、構造、または特性を含むとは限らない。その上に、そのような慣用句は、必ずしも同一の実施形態を参照するわけではない。さらに、特定の機能、構造、または特性が一実施形態に関連して説明されるとき、そのような機能、構造、または特性を他の実施形態に関連して実施することは、明示的に説明されるか否かにかかわらず、当業者の知見の範囲内にあることが提示される。
【００３７】
本明細書で使用されるように、単数形「１つの（ａ）」、「１つの（ａｎ）」および「この（ｔｈｅ）」は、文脈がそうでないことを明白に示さない限り複数形も同様に含むことが意図されている。「備える」、「備えている」、「含む」、および／または「含んでいる」という用語は、本明細書で使用されたとき、明示された機能、整数、ステップ、動作、要素、および／または構成要素の存在を指定するが、１つまたは複数の他の機能、整数、ステップ、動作、要素、構成要素、および／またはこれらのグループの存在もしくは追加を排除するものではないことをさらに理解されたい。
【００３８】
図１は、無線通信用に使用され得る無線通信ネットワーク１００の一例を図示するものである。無線ネットワーク１００は、複数のコアネットワークノード（たとえばＬＴＥ／ＥＰＣにおけるＭＭＥ、ＳＧＷ、および／またはＰＧＷ、ＮＧＣにおけるＡＭＦ、ＳＭＦ、および／またはＵＰＦなど）（総体としてコアネットワークノード（複数可）と称される）を備え得るコアネットワーク１５０に対して直接的または間接的に接続された無線デバイス１１０Ａ〜１１０Ｃ（総体として無線デバイスまたはＷＤ  １１０と称される）および複数の無線ネットワークノード１３０Ａ〜１３０Ｃ（たとえばＬＴＥにおけるｅＮＢ、ＮＲにおけるｇＮＢなど）（総体として無線ネットワークノード（複数可）１３０と称される）を含む。無線ネットワーク１００は、ＵＭＴＳ地上無線アクセスネットワーク（ＵＴＲＡＮ）、エボルブドＵＭＴＳ地上無線アクセスネットワーク（ＥＵＴＲＡＮ）、および次世代無線アクセスネットワーク（ＮＧ−ＲＡＮ）を含む任意の適切な無線アクセスネットワーク（ＲＡＮ）配備のシナリオを使用し得る。
【００３９】
カバレッジエリア１１５の内部の無線デバイス１１０は、それぞれが無線インターフェースを通じて無線ネットワークノード１３０と直接通信することが可能であり得る。ある特定の実施形態では、無線デバイスは、Ｄ２Ｄ（ｄｅｖｉｃｅ−ｔｏ−ｄｅｖｉｃｅ）通信によって互いに通信することも可能であり得る。一例として、無線デバイス１１０Ａは無線インターフェースを通じて無線ネットワークノード１３０Ａと通信し得る。すなわち、無線デバイス１１０Ａは、無線ネットワークノード１３０Ａとの間で無線信号を送受信し得る。無線信号は、音声トラフィック、データトラフィック、制御信号、および／またはその他の適切な情報を含有し得る。いくつかの実施形態では、無線ネットワークノード１３０に関連した無線信号カバレッジ１１５の領域は、セル１１５と称され得る。
【００４０】
次に図２Ａおよび図２Ｂを見ると、キャリアアグリゲーション（ＣＡ）配備およびデュアルコネクティビティ（ＤＣ）配備のそれぞれの例が図示されている。最初に図２Ａを参照すると、ＣＡでは、単一の無線ネットワークノードが無線デバイスとの複数の無線リンクを確立することができ、無線リンクの各々が、異なる周波数または異なるキャリア上で通常動作する異なるセルによってサーブされる。図２Ａに示された例では、無線デバイスが、同一の無線ネットワークノード（たとえば１３０Ａ）によって管理されている２つのセル（たとえばセル１１５Ａ１、１１５Ａ２）によってサーブされる。ＣＡでは、セルのうち１つが１次セル（ＰＣｅｌｌ）であり、他のセル（複数可）が２次セル（ＳＣｅｌｌ）である。２つのセルしか示されていないが、ＣＡ配備は２つよりも多くのセルを包含することができる。
【００４１】
次に図２Ｂを参照すると、ＤＣでは、（第１の）無線ネットワークノードは無線デバイスとの複数の無線リンクを確立することもでき、無線リンクの各々が異なるセルによってサーブされる。しかしながら、ＤＣでは、ＣＡとは対照的に、無線リンクのうち少なくとも１つが、第１の無線ネットワークノードと（たとえばＬＴＥにおけるＸ２インターフェースを介して）通信する第２の無線ネットワークノードを介して確立される。図２Ｂに示された例では、無線デバイスは、（第１の）無線ネットワークノード１１５Ａによって管理されたセル１１５Ａと（第２の）無線ネットワークノード１１５Ｂによって管理されたセル１１５Ｂの２つのセルによってサーブされる。ＤＣでは、一方のセルが１次セル（ＰＣｅｌｌ）であり、他方のセルが１次２次セル（ＰＳＣｅｌｌ）である。ＬＴＥ規格に従う配備では、１次セルを管理する無線ネットワークノードはマスタｅＮＢまたはＭｅＮＢと称され、１次２次セルを管理する無線ネットワークノードは２次ｅＮＢまたはＳｅＮＢと称される。
【００４２】
簡単さのために図示されていないが、ＣＡとＤＣが組み合わされ得、第１の無線ネットワークノード、第２の無線ネットワークノード、または両方が、それぞれ、無線デバイスにサーブする複数のセルを管理することができる。
【００４３】
次に図３Ａおよび図３Ｂを参照すると、ＣＡ配備とＤＣ配備の両方のプロトコルスタックの部分の高レベルの図がそれぞれ示されている。図３Ａに図示されるように、ＣＡ配備では、第１のセル（またはセルの第１のセット）に関連した単一のＰＤＣＰエンティティは、一方が第１のセル（またはセルの第１のセット）に関連して他方が第２のセル（またはセルの第２のセット）に関連する少なくとも２つのＲＬＣエンティティと関連づけられて相互作用する。結果として、これら２つのＲＬＣエンティティの各々が、それぞれの論理チャネルを通じて、無線デバイスにおける対応するＲＬＣエンティティと関連づけられて相互作用する。論理チャネルは、確立されて別々のセルにマッピングされるので、一般的には別々の無線リンクによってサポートされる。最終的に、無線デバイスのＲＬＣエンティティが、単一のＰＣＤＰエンティティと関連づけられて相互作用する。特に、ＣＡ配備では、第１のセル（またはセルの第１のセット）と２次セル（またはセルの第２のセット）の両方が同一の無線ネットワークノードによって管理される。言い換えれば、ＣＡ配備では、無線デバイスは、同一の無線ネットワークノードによって管理された２つのセル（またはセルの２つのセット）によってサーブされ得る。
【００４４】
次に図３Ｂを見ると、ＤＣ配備では、第１のセル（またはセルの第１のセット）に関連した単一のＰＤＣＰエンティティは、一方が第１のセル（またはセルの第１のセット）に関連して他方が第２のセル（またはセルの第２のセット）に関連する２つのＲＬＣエンティティと関連づけられて相互作用する。結果として、これら２つのＲＬＣエンティティの各々が、それぞれの論理チャネルを通じて、無線デバイスにおける対応するＲＬＣエンティティと関連づけられて相互作用する。ＣＡ配備と同様に、ＤＣ配備では、論理チャネルは、確立されて別々のセルにマッピングされるので、一般的には別々の無線リンクによってサポートされる。最終的に、無線デバイスのＲＬＣエンティティが、単一のＰＣＤＰエンティティと関連づけられて相互作用する。特に、ＤＣ配備では、第１のセル（またはセルの第１のセット）が第１の無線ネットワークノードすなわちマスタ無線ネットワークノードによって管理され、第２のセル（またはセルの第２のセット）が第２の無線ネットワークノードすなわち２次無線ネットワークノードによって管理される。
【００４５】
ある特定のシナリオにおける信頼性を改善するために、重複ＰＤＣＰ  ＰＤＵを搬送するＲＬＣ  ＰＤＵをやり取りするためのＲＬＣエンティティが提案されている。言い換えれば、キャリアアグリゲーションまたはデュアルコネクティビティで動作する無線デバイスが、さらに重複モード（ＰＤＣＰ重複とも称される）で動作するのを可能にすることが提案されている。重複モードでは、第１のセル（すなわちＣＡにおける無線ネットワークノードまたはＤＣにおけるマスタ無線ネットワークノード）を管理する無線ネットワークノードのＰＤＣＰエンティティは、無線デバイスに送られるＰＤＣＰ  ＰＤＵを複製して、最終的にはそれぞれの論理チャネルを通じて無線デバイスに送るように、無線デバイスにサーブしている第１のセルおよび第２のセルのＲＬＣエンティティに送る。同様に、無線デバイスのＰＤＣＰエンティティは、第１のセル（複数可）を管理する無線ネットワークノードに送るＰＤＣＰ  ＰＤＵを複製して、最終的には、それぞれの論理チャネルを通じて、第１のセル（複数可）を管理する無線ネットワークノードに送るように、無線デバイスにサーブしている第１のセルおよび第２のセルのＲＬＣエンティティに関連したＲＬＣエンティティの各々にＰＤＣＰ  ＰＤＵを送る。
【００４６】
ＰＤＣＰ重複では、ＲＬＣ論理チャネルを、この論理チャネルに関連した１つまたは複数の構成要素／要素が、どのフィールド（複数可）（たとえばＲＲＣ設定メッセージのフィールド）上に設定されているかに応じて、１次論理チャネルまたは２次論理チャネルと見なすことが提案されている。その点で、論理チャネル用のＲＬＣエンティティがＲＲＣフィールドの第１のセットにおいて設定されている場合には、この論理チャネルを１次論理チャネルと見なし、ＲＬＣエンティティがＲＲＣフィールドの第２のセットにおいて設定されている場合には、関連する論理チャネルを２次論理チャネルと見なすことが提案されている。
【００４７】
１次論理チャネルと２次論理チャネルを判定するやり方の一例を以下に示す。以下のＡＳＮコードは、３ＧＰＰ  ＴＳ  ３６．３３１のＶ１５．０．１に基づいて使用され得るＲａｄｉｏＲｅｓｏｕｒｃｅＣｏｎｆｉｇＤｅｄｉｃａｔｅｄ情報要素のパラメータのうちいくつかを示すものである。この情報要素は、ＲＲＣＣｏｎｎｅｃｔｉｏｎＳｅｔｕｐメッセージまたはＲＲＣＣｏｎｎｅｃｔｉｏｎＲｅｃｏｎｆｉｇｕｒａｔｉｏｎメッセージなどのＲＲＣ設定メッセージの一部分であり得る。この情報要素内に、無線ネットワークノードは、無線リンク、ＲＬＣエンティティ、論理チャネル識別情報、および論理チャネル設定を設定する。１次論理チャネルは、ｒｌｃ−Ｃｏｎｆｉｇ、ｌｏｇｉｃａｌＣｈａｎｎｅｌＩｄｅｎｔｉｔｙ、およびｌｏｇｉｃａｌＣｈａｎｎｅｌＣｏｎｆｉｇのフィールドに関連した論理チャネルと見なされ、２次論理チャネルは、ｒｌｃ−Ｃｏｎｆｉｇ−Ｄｕｐｌ−ｒ１５、ｌｏｇｉｃａｌＣｈａｎｎｅｌＩｄ−Ｄｕｐｌ−ｖ１５ｘｙ、およびｌｏｇｉｃａｌＣｈａｎｎｅｌＣｏｎｆｉｇ−Ｄｕｐｌ−ｖ１５ｘｙ（ｘおよびｙは、これらのフィールドのバージョン番号がまだ承認されていないことを指示する）のフィールドに関連した論理チャネルと見なされる。
2021520718.tif 000003
【００４８】
特に、本明細書では「１次論理チャネル」および「２次論理チャネル」という表現が使用されるが、これらを説明するかまたは参照するために他の表現が使用され得る。たとえば、１次論理チャネルに関して、１次ＲＬＣ論理チャネル、主リンク、主レッグ、主論理チャネル、１次リンク、１次レッグ、ＰＤＣＰ重複の主レッグ、ＰＤＣＰ重複の主送信経路、１次セルまたはセルのグループに関連した送信経路などの表現が、１次論理チャネルを表すために使用され得る。同様に、２次ＲＬＣ論理チャネル、２次リンク、２次レッグ、重複リンク、重複レッグ、重複論理チャネル、ＰＤＣＰ重複の２次レッグ、ＰＤＣＰ重複の２次レッグリンク、ＰＤＣＰ重複の２次送信経路、２次セルまたはセルのグループに関連した送信経路などの表現が、２次論理チャネルを表すために使用され得る。
【００４９】
セルに対する１次重複リンクおよび２次重複リンクにおける方法
【００５０】
上記で指示されたように、無線ネットワークノードは、どの論理チャネルがどのサービングセルで送られ得るかを無線デバイスに指示することができる。これは、無線デバイスに、たとえば論理チャネルのトラフィックが送られるべきでないセル上で論理チャネルが送られるのを制限する、論理チャネルとサービングセルの間のマッピングを与えることによって行うことができる。
【００５１】
いくつかの実施形態では、無線ネットワークノードは、（たとえば前述のマッピング／制限を与えることによって）無線デバイスを、他のセルよりも重要と見なされる１つまたは複数のサービングセルを含有しているサービングセルのセット上で１次論理チャネルが送られるように設定することができる。そのような、たとえば２次セル（ＳＣｅｌｌ）と比較してより重要なセルの例には、１次セル（ＰＣｅｌｌ）、１次２次セル（ＰＳＣｅｌｌ）、ＰＵＣＣＨ  ＳＣｅｌｌなどが含まれる。
【００５２】
以下で説明されるように、無線デバイスの１次論理チャネルに（すなわち１次論理チャネルをサポートする無線リンクとともに）問題がある場合には、無線デバイスはＲＬＦをトリガしてよく、無線デバイスの２次論理チャネルに（すなわち２次論理チャネルをサポートする無線リンクとともに）問題がある場合には問題の通知または指示のみを送る。これは、これらの実施形態によって説明されたやり方でマッピング／制限を与えることにより、次のような挙動になることを意味する。
−  １次論理チャネルに問題がある場合、無線デバイスは重要なセルに問題があり、そのために無線デバイスはＲＬＦをトリガすることを意味し得る。
−  ２次論理チャネルに問題がある場合、無線デバイスはあまり重要でないセルに問題があり、そのために無線デバイスは指示を送ることを意味し得る。
【００５３】
そのため、無線ネットワークノードは、上記のように論理チャネルとサービングセルの間のマッピングを与える場合、無線ネットワークノードは、重要なセル（たとえばＰＣｅｌｌ）に問題があれば、無線デバイスがＲＬＦをトリガするが、それほど重要でないセル（たとえばＳＣｅｌｌ）に問題があるなら、無線デバイスはＲＬＦをトリガせず、代わりに通知または指示を送る、ということを確実にすることができる。
【００５４】
どの重複リンクに問題があるかに応じて差別化されるアクション
【００５５】
いくつかの実施形態では、上記で指示されたように、無線デバイスは、重複ベアラの１次論理チャネルに問題があれば第１のアクションまたは一連のアクションをトリガするが、重複ベアラの２次論理チャネルに問題があるなら、第２のアクションまたは一連のアクションをトリガしてよい。いくつかの実施形態では、第１のアクションは無線リンク障害（ＲＬＦ）プロシージャをトリガしてよく、これによって、無線デバイスはネットワークに対する接続の再確立を試行し得る。第２のアクションは、ネットワークに、問題が生じたことを通知するか、またはこのことを指示する報告を与えてもよい。特に、後に示されるように、ネットワークに報告するためのプロシージャは、無線リンク障害のタイプと称される（本明細書では「ＰＤＣＰ重複の２次論理チャネルの無線リンク障害［・・・］」と称される）ことがあるが、このタイプの無線リンク障害は、通常の無線リンク障害プロシージャがもたらす再確立をトリガしない。
【００５６】
いくつかの実施形態では、２次論理チャネルに問題があるとき、無線デバイスは、ＰＤＣＰ重複の２次論理チャネルに関連したＲＬＣエンティティ（複数可）をさらに一時停止してよい。
【００５７】
無線ネットワークノードは、第２のアクションとして説明されたそのような報告に応答して、このベアラの重複機能を設定解除してよく、障害のあるリンクの影響を受けたＲＬＣエンティティを再確立してよく、またはサービングセルの設定を解除するなどしてもよい。
【００５８】
有利には、２次論理チャネルのみに問題があるとき、いくつかの実施形態は、ネットワークに対する接続の再確立をトリガするのを回避してよい。言い換えれば、そのような実施形態では、１次論理チャネルに問題があって２次論理チャネルに問題がない場合には、無線デバイスは、再確立をもたらすＲＬＦのみをトリガしてよい。こうすると、重要なセルが問題に直面している場合には、無線デバイスが、再確立をもたらすＲＬＦのみをトリガすることを保証し得る。
【００５９】
３ＧＰＰ  ＴＳ  ３６．３３１  ｖ１５．０．１の５．６．１３節には、２次セルのグループ（ＳＣＧ）の障害メカニズムが説明されている。このプロシージャは、無線デバイスがＳＣＧにおけるすべての送信を一時停止してＳＣＧに関連したＭＡＣエンティティをリセットする原因となる。しかしながら、ＰＤＣＰ重複の２次論理チャネルに問題がある場合には、これらのアクションの遂行が望まれないことがある。たとえば、無線デバイスがＳＣＧの中にセルＸ、セルＹおよびセルＺを有し、ＰＤＣＰ重複の２次論理チャネルがセルＸにのみマッピングされている場合には、セルＸの不十分な性能によってもたらされた障害は、セルＹやセルＺの使用を停止する動機にはならない。
【００６０】
ＤＣを用いて設定された無線デバイスならばＳＣＧ障害メカニズムをトリガするところを、ＣＡを用いて設定された無線デバイスが、重複ベアラにマッピングされたキャリアのうちの１つにおいてＲＬＣ再送信の最大回数に到達した場合に、第１のタイプの報告（たとえばＳＣｅｌｌＦａｉｌｕｒｅＲｅｐｏｒｔメッセージ）を送ることを可能にするやり方が説明されてきた。そのような手法とは対照的に、いくつかの実施形態は、無線デバイスがＰＤＣＰ重複２次リンクに関する問題に直面したときの挙動が統一されることを有利に保証し、すなわち、無線デバイスはキャリアアグリゲーションまたはデュアルコネクティビティのどちらに設定されていようと無線ネットワークノードに（たとえばＰＤＣＰ重複障害情報メッセージを介して）通知し、このことはＰＤＣＰ重複２次リンクがＳＣＧまたはＭＣＧの内部にあることを簡略化し得る。その上、前述のように、無線デバイスは、この障害を起こしているＲＬＣエンティティに固有の重複障害指示を、重複に包含されている２次ＲＬＣエンティティ向けにトリガする。この障害指示はＲＬＣエンティティに固有のものであり、すなわちこのＲＬＣエンティティを一時停止させ得て、ネットワークにＲＬＣエンティティの障害を指示する。そのために、ネットワークは、障害を起こしたＲＬＣエンティティを設定解除することができる。ＳＣｅｌｌが複数の他の論理チャネルにも使用され得るので、ＳＣｅｌｌに固有の障害の指示（このＳＣｅｌｌ上のアップリンク送信を一時停止することを含み得る）と比較して、ＲＬＣエンティティすなわち論理チャネルに固有の障害指示は、当のＲＬＣエンティティと同一の故障停止／障害状態の影響が及ばなくて済むので有益である。これは、特定の論理チャネルに優先設定する場合でよく、いくつかの論理チャネルが他のものに優先し、優先権のないＲＬＣエンティティにおける障害よりも優先する。これは、いくつかのＲＬＣエンティティのみが作動せず（障害を起こしたＲＬＣエンティティ）、それらのみが設定解除されるべきであり、他のものは維持され得、特にＳＣｅｌｌのアップリンク送信動作は維持され得ることを意味する。これらの設定解除を効率的なやり方でトリガするためには、ネットワークが、無線デバイスによって、重複２次論理チャネルのＲＬＣ障害について、ＳＣｅｌｌ障害としてではなく通知されるべきである。
【００６１】
その上に、ここで説明されるように、重複ベアラに包含された２次ＲＬＣエンティティにおけるＲＬＣ障害の検知に基づいて重複障害指示をトリガすることには、特定のベアラに特有のものになるという利点がある。ある特定のＳＣｅｌｌに送信が制限されているＲＬＣ論理チャネル向けに障害指示がトリガされるように規定されていると、この障害指示は、このＳＣｅｌｌにおける送信に制限された重複の１次ＲＬＣ論理チャネル向けにもトリガされることになる。したがって、ＲＬＣエンティティが重複における１次ＲＬＣエンティティまたは２次ＲＬＣエンティティのどちらとして規定されているのかに応じて重複障害指示をトリガすることには、無線ネットワークノードが、障害トリガから独立して、両方のＲＬＣエンティティの送信制限を柔軟に規定することができる、すなわちＲＬＣエンティティをＰＣｅｌｌまたは任意のＳＣｅｌｌに対して自由に関連づけることができるという利点がある。
【００６２】
障害の発生源の指示
【００６３】
ＲＬＣ（再）送信の最大回数に達したとき生じると考えられ得るＲＬＣエンティティにおける障害の場合には、無線デバイスは、どのＲＬＣエンティティ（またはＲＬＣエンティティのグループ）に誤りが生じたかについての指示を与えてよい。誤りが生じたＲＬＣエンティティを指示するやり方の１つには、障害レポートの中で、誤りが生じたベアラ、論理チャネルまたはセル／周波数／キャリア（すなわち無線リソース）の識別情報を指示するものがある。そこで、無線ネットワークノードは、どのセルまたはセルのグループに問題があるのかを判定することができる。
【００６４】
これには、無線ネットワークノードが、この知見を用いて問題のないセルを除外し、問題のあるセルにのみアクションを適用する（たとえば設定解除する、非活性化する、など）ように裁定し得るという利点がある。これによって、問題のあるセルのみが除去され、問題のないセルは維持されて、無線デバイスとの間の通信用に使用されることが保証され得る。また、シグナリングされる必要があるのは単一のベアラ識別情報のみであるため、無線ネットワークノードが必要とする情報を数ビットのシグナリングのみで与えることは有効なやり方である。
【００６５】
いくつかの実施形態では、３ＧＰＰ  ＴＳ  ３６．３３１のＶ１５．０．１の以下の節は、説明された実施形態のうちの１つまたは複数を可能にするために次のように変更されてよい。
【００６６】
＝＝＝＝＝＝＜＜＜＜＜＜３ＧＰＰ  ＴＳ  ３６．３３１のＶ１５．０．１＞＞＞＞＞＝＝＝＝＝＝
５．３．１１．３  無線リンク障害の検知
ＵＥは、
１＞Ｔ３１０が終了したとき、または
１＞Ｔ３１２が終了したとき、または
１＞Ｔ３００、Ｔ３０１、Ｔ３０４、およびＴ３１１のどれも動作していない状態で、ＭＣＧ  ＭＡＣからランダムアクセスの問題の指示があったとき、または
１＞ＰＤＣＰ重複２次レッグに関連づけられていないＭＣＧ  ＲＬＣから、ＳＲＢまたはＤＲＢの再送信が最大回数に達したとの指示があったとき
２＞ＭＣＧの無線リンク障害すなわちＲＬＦが検知されたと見なす
２＞ＶａｒＲＬＦ−Ｒｅｐｏｒｔのフィールドを次のようにセットすることにより、ＮＢ−ＩｏＴを除いて、以下の無線リンク障害情報をＶａｒＲＬＦ−Ｒｅｐｏｒｔに格納する
３＞ＶａｒＲＬＦ−Ｒｅｐｏｒｔに情報が含まれていたら消去する
３＞ＵＥによって格納されたＥＰＬＭＮのリストを含むようにｐｌｍｎ−ＩｄｅｎｔｉｔｙＬｉｓｔをセットする（すなわちＲＰＬＭＮを含める）
３＞ＵＥが無線リンク障害を検知したときまでに収集された測定値に基づいて、利用可能であればＰＣｅｌｌのＲＳＲＰおよびＲＳＲＱを含むようにｍｅａｓＲｅｓｕｌｔＬａｓｔＳｅｒｖＣｅｌｌをセットする
３＞ＵＥが無線リンク障害を検知したときまでに収集された測定値に基づいて、ＰＣｅｌｌ以外の最もよく測定されたセルをリストの最初に載せるようにｍｅａｓＲｅｓｕｌｔＮｅｉｇｈＣｅｌｌｓをセットし、これのフィールドは以下のようにセットする
４＞ＵＥが１つまたは複数のＥＵＴＲＡ周波数に関する測定を遂行するように設定されていたらｍｅａｓＲｅｓｕｌｔＬｉｓｔＥＵＴＲＡを含める
４＞ＵＥが１つまたは複数の隣接するＵＴＲＡ周波数に関する測定報告を遂行するように設定されていたらｍｅａｓＲｅｓｕｌｔＬｉｓｔＵＴＲＡを含める
４＞ＵＥが１つまたは複数の隣接するＧＥＲＡＮ周波数に関する測定報告を遂行するように設定されていたらｍｅａｓＲｅｓｕｌｔＬｉｓｔＧＥＲＡＮを含める
４＞ＵＥが１つまたは複数の隣接するＣＤＭＡ２０００周波数に関する測定報告を遂行するように設定されていたらｍｅａｓＲｅｓｕｌｔｓＣＤＭＡ２０００を含める
４＞含まれるそれぞれの隣接セルについて、利用可能な任意選択のフィールドを含める
注１：測定された量は、移動度測定の設定に設定されたようなＬ３フィルタによってフィルタリングされる。設定されていれば、測定は時間領域測定リソース制限に基づくものになる。ブラックリストに載ったセルの報告は不要である。
３＞詳細なロケーション情報が入手可能であれば、ｌｏｃａｔｉｏｎＩｎｆｏの内容を以下のようにセットする
４＞ｌｏｃａｔｉｏｎＣｏｏｒｄｉｎａｔｅｓを含める
４＞入手可能であればｈｏｒｉｚｏｎｔａｌＶｅｌｏｃｉｔｙを含める
３＞ｆａｉｌｅｄＰＣｅｌｌＩｄを、入手可能であればグローバルセル識別情報にセットし、そうでなければ、物理セル識別情報および無線リンク障害が検知されたＰＣｅｌｌのキャリア周波数にセットする
３＞ｔａｃ−ＦａｉｌｅｄＰＣｅｌｌを、入手可能であれば、無線リンク障害が検知されたＰＣｅｌｌの追跡領域コードにセットする
３＞ｍｏｂｉｌｉｔｙＣｏｎｔｒｏｌＩｎｆｏを含むＲＲＣＣｏｎｎｅｃｔｉｏｎＲｅｃｏｎｆｉｇｕｒａｔｉｏｎメッセージが接続障害の前に受信された場合には
４＞ｍｏｂｉｌｉｔｙＣｏｎｔｒｏｌＩｎｆｏを含む最近のＲＲＣＣｏｎｎｅｃｔｉｏｎＲｅｃｏｎｆｉｇｕｒａｔｉｏｎメッセージが、Ｅ−ＵＴＲＡ内のハンドオーバに関係する場合には
５＞ｐｒｅｖｉｏｕｓＰＣｅｌｌＩｄを含め、これを、ｍｏｂｉｌｉｔｙＣｏｎｔｒｏｌＩｎｆｏを含む最近のＲＲＣＣｏｎｎｅｃｔｉｏｎＲｅｃｏｎｆｉｇｕｒａｔｉｏｎメッセージが受信されたＰＣｅｌｌのグローバルセル識別情報にセットする
５＞ｔｉｍｅＣｏｎｎＦａｉｌｕｒｅを、ｍｏｂｉｌｉｔｙＣｏｎｔｒｏｌＩｎｆｏを含む最近のＲＲＣＣｏｎｎｅｃｔｉｏｎＲｅｃｏｎｆｉｇｕｒａｔｉｏｎメッセージを受信してからの経過時間にセットする
４＞ｍｏｂｉｌｉｔｙＣｏｎｔｒｏｌＩｎｆｏを含む最近のＲＲＣＣｏｎｎｅｃｔｉｏｎＲｅｃｏｎｆｉｇｕｒａｔｉｏｎメッセージがＵＴＲＡからＥ−ＵＴＲＡへのハンドオーバに関係するものであって、ＵＥがＲＡＴ間ＭＲＯに関する無線リンク障害報告をサポートする場合には
５＞ｐｒｅｖｉｏｕｓＵＴＲＡ−ＣｅｌｌＩｄを含め、これを、ｍｏｂｉｌｉｔｙＣｏｎｔｒｏｌＩｎｆｏを含む最近のＲＲＣＣｏｎｎｅｃｔｉｏｎＲｅｃｏｎｆｉｇｕｒａｔｉｏｎメッセージが受信されたＵＴＲＡ  Ｃｅｌｌの物理的セル識別情報、キャリア周波数およびグローバルセル識別情報に（これらが利用可能であれば）セットする
５＞ｔｉｍｅＣｏｎｎＦａｉｌｕｒｅを、ｍｏｂｉｌｉｔｙＣｏｎｔｒｏｌＩｎｆｏを含む最近のＲＲＣＣｏｎｎｅｃｔｉｏｎＲｅｃｏｎｆｉｇｕｒａｔｉｏｎメッセージを受信してからの経過時間にセットする
３＞ＵＥが、無線リンク障害報告の中でＱＣＩ１指示をサポートし、ＱＣＩが１であるＤＲＢを有する場合には
４＞ｄｒｂ−ＥｓｔａｂｌｉｓｈｅｄＷｉｔｈＱＣＩ−１を含める
３＞ｃｏｎｎｅｃｔｉｏｎＦａｉｌｕｒｅＴｙｐｅをｒｌｆにセットする
３＞ｃ−ＲＮＴＩを、ＰＣｅｌｌで使用されるＣ−ＲＮＴＩにセットする
３＞ｒｌｆ−Ｃａｕｓｅを、無線リンク障害を検知するためのトリガにセットする
２＞ＡＳセキュリティが活性化されていない場合には
３＞ＵＥがＮＢ−ＩｏＴ  ＵＥである場合には
４＞ＵＥがＣｏｎｔｒｏｌ  Ｐｌａｎｅ  ＣＩｏＴ  ＥＰＳを最適化するためのＲＲＣ接続の再確立をサポートする場合には
５＞５．３．７に指定されているようなＲＲＣ接続の再確立プロシージャを開始する
４＞ＵＥが上記の再確立をサポートしない場合には
５＞「ＲＲＣ接続障害」が原因でＲＲＣ＿ＣＯＮＮＥＣＴＥＤを終わるとき、５．３．１２に指定されているようなアクションを遂行する
３＞ＵＥがＮＢ−ＩｏＴ  ＵＥでない場合には
４＞「他のこと」が原因でＲＲＣ＿ＣＯＮＮＥＣＴＥＤを終わるとき、５．３．１２に指定されているようなアクションを遂行する
２＞ＡＳセキュリティが活性化されている場合には
３＞５．３．７に指定されているような接続の再確立プロシージャを開始するものとする。
ＰＤＣＰ重複の場合には、ＵＥは、
１＞ＰＤＣＰ重複２次レッグに関連づけられたＲＬＣエンティティから、再送信が最大回数に達したとの指示があったとき
２＞ＰＤＣＰ重複２次レッグの無線リンク障害すなわちＰＤＣＰ重複ＲＬＦが検知されたものと見なす
２＞５．６．Ｘに指定されているようなＰＤＣＰ重複障害情報プロシージャを開始してＰＤＣＰ重複障害を報告するものとする。
ＤＣの場合には、ＵＥは、
１＞Ｔ３１３が終了したとき、または
１＞ＳＣＧ  ＭＡＣからランダムアクセスの問題の指示があったとき、または
１＞ＰＤＣＰ重複２次レッグに関連づけられていないＳＣＧ  ＲＬＣから、ＳＣＧまたは分割されたＤＲＢの再送信が最大回数に達したとの指示があったとき
２＞ＳＣＧの無線リンク障害すなわちＳＣＧ−ＲＬＦが検知されたと見なす
２＞５．６．１３に指定されているようなＳＣＧ障害情報プロシージャを開始してＳＣＧ無線リンク障害を報告するものとする。
ＵＥは、無線リンク障害が検知されてから４８時間後、電源遮断または切離しのとき、無線リンク障害情報を棄却してよく、すなわちＵＥ変数のＶａｒＲＬＦ−Ｒｅｐｏｒｔを解除してよい。
５．６．Ｘ  ＰＤＣＰ重複障害情報
2021520718.tif 000004
このプロシージャの目的は、ＵＥが体験したＰＤＣＰ重複レッグ障害についてＥ−ＵＴＲＡＮに通知することである。
５．６．Ｘ．２  開始
ＵＥは、ＰＤＣＰ重複がアクティブであって、以下の条件のうち１つが満たされたとき、ＰＤＣＰ重複レッグ障害を報告するためのプロシージャを開始する
１＞５．３．１１に従ってＳＣＧの無線リンク障害を検知したとき、またはＰＤＣＰ重複の場合にはプロシージャを開始したとき、ＵＥは
１＞５．６．Ｘ．３に従ってＰＤＣＰ−ＤｕｐｌｉｃａｔｉｏｎＦａｉｌｕｒｅＩｎｆｏｒｍａｔｉｏｎメッセージの送信を開始すること
５．６．Ｘ．３  ＰＤＣＰ−ＤｕｐｌｉｃａｔｉｏｎＦａｉｌｕｒｅＩｎｆｏｒｍａｔｉｏｎメッセージの送信に関連したアクション
ＵＥは、ＰＤＣＰ−ＤｕｐｌｉｃａｔｉｏｎＦａｉｌｕｒｅＩｎｆｏｒｍａｔｉｏｎメッセージの内容を以下のようにセットするものとする
１＞障害を起こしたＤＲＢのＰＤＣＰ重複障害のためにＰＤＣＰ−ＤｕｐｌｉｃａｔｉｏｎＦａｉｌｕｒｅＩｎｆｏｒｍａｔｉｏｎが送られる以外の場合には
２＞ｆａｉｌｅｄＤＲＢを、障害を起こしたＤＲＢの識別情報にセットする
１＞障害を起こしたＳＲＢのＰＤＣＰ重複障害のためにＰＤＣＰ−ＤｕｐｌｉｃａｔｉｏｎＦａｉｌｕｒｅＩｎｆｏｒｍａｔｉｏｎが送られる場合には
２＞ｆａｉｌｅｄＳＲＢ−Ｉｄｅｎｔｉｔｙを、障害を起こしたＳＲＢの識別情報にセットする
１＞存在する場合には、設定された各Ｅ−ＵＴＲＡセルについて、ｍｅａｓＲｅｓｕｌｔＳｅｒｖＦｒｅｑＬｉｓｔの内部に、［１６］の性能要件に応じて利用可能であれば、関係するＳＣｅｌｌの数をｍｅａｓＲｅｓｕｌｔＳＣｅｌｌに含めるようにセットする
１＞ｍｅａｓＲｅｓｕｌｔＳｅｒｖＦｒｅｑＬｉｓｔに含まれた各Ｅ−ＵＴＲＡサービング周波数について、関係するサービング周波数上で、ＲＳＲＰに基づいて、ｍｅａｓＲｅｓｕｌｔＢｅｓｔＮｅｉｇｈＣｅｌｌの内部にｐｈｙｓＣｅｌｌＩｄおよび最善の非サービングセルの数を含める
１＞ＵＥが障害を検知したときまでに収集された測定値に基づいて、非サービングＥ−ＵＴＲＡ周波数上の最もよく測定されたセルをリストの最初に載せるようにｍｅａｓＲｅｓｕｌｔＮｅｉｇｈＣｅｌｌｓをセットし、これのフィールドは以下のようにセットする
２＞ＵＥが１つまたは複数の非サービングＥＵＴＲＡ周波数に関する測定を遂行するように設定されていて、測定結果が利用可能であれば、ｍｅａｓＲｅｓｕｌｔＬｉｓｔＥＵＴＲＡを含める
２＞含まれるそれぞれの隣接セルについて、利用可能な任意選択のフィールドを含める
注１：測定された量は、移動度測定の設定に設定されたように、Ｌ３フィルタによってフィルタリングされる。設定されていれば、測定は時間領域測定リソース制限に基づくものになる。ブラックリストに載ったセルの報告は不要である。
ＵＥは、送信のために、下位レイヤにＰＤＣＰ−ＤｕｐｌｉｃａｔｉｏｎＦａｉｌｕｒｅＩｎｆｏｒｍａｔｉｏｎメッセージを提示するものとする。
６．２．２  メッセージ規定
−  ＰＤＣＰ−ＤｕｐｌｉｃａｔｉｏｎＦａｉｌｕｒｅＩｎｆｏｒｍａｔｉｏｎ
ＰＤＣＰ−ＤｕｐｌｉｃａｔｉｏｎＦａｉｌｕｒｅＩｎｆｏｒｍａｔｉｏｎメッセージは、ＵＥによって検知されたＰＤＣＰ重複障害に関する情報をもたらすために使用される。
シグナリング無線ベアラ：ＳＲＢ１
ＲＬＣ−ＳＡＰ：ＡＭ
論理チャネル：ＤＣＣＨ
方向：ＵＥからＥ−ＵＴＲＡＮ
2021520718.tif 000005
2021520718.tif 000006
【００６７】
＝＝＝＝＝＝＜＜＜＜＜＜３ＧＰＰ  ＴＳ  ３６．３３１のＶ１５．０．１＞＞＞＞＞＝＝＝＝＝＝
【００６８】
図４を参照すると、いくつかの実施形態による高レベルのシグナリングおよび動作の図が図示されている。図は、ＰＣＤＰエンティティと、第１のセル（またはセルの第１のセット）に関連した第１のＲＬＣエンティティと、第２のセル（またはセルの第２のセット）に関連した第２のＲＬＣエンティティとを図示するものである。図４において、２つのセルは、ＣＡ配備の場合のように（図２Ａおよび図３Ａも参照されたい）単一の無線ネットワークノード１３０によって管理される。特に、ＤＣ配備では、第１のセル（複数可）は第１の無線ネットワークノードによって管理され、第２のセル（複数可）は第２の無線ネットワークノードによって管理されることになる（図２Ｂおよび図３Ｂも参照されたい）。
【００６９】
図示のように、無線ネットワークノードは、キャリアアグリゲーション（またはデュアルコネクティビティ）とＰＤＣＰ重複の両方を可能にするために、適切なパラメータを用いて無線デバイスを設定するように、無線デバイスにＲＲＣ設定メッセージを送ってよい（アクションＳ１０２）。無線ネットワークノードは、このＲＲＣメッセージを、接続セットアップ中にＲＲＣＣｏｎｎｅｃｔｉｏｎＳｅｔｕｐメッセージによって送ってよく、または、後に、接続を再設定するときにＲＲＣＣｏｎｎｅｃｔｉｏｎＲｅｃｏｎｆｉｇｕｒａｔｉｏｎメッセージによって送ってもよい。どちらのメッセージが使用されるかに関係なく、無線デバイスは、一旦このメッセージを受信すると、２つのＲＬＣエンティティおよびこれらに関連する論理チャネルを設定し、指示されたように第１のセル（複数可）および第２のセル（複数可）に論理チャネルをマッピングし、ＰＤＣＰ重複のために、論理チャネルのうち１つを１次論理チャネルとし、その他の論理チャネルを２次論理チャネルとして割り当てるかまたは判定する（アクションＳ１０４）。いくつかの実施形態では、無線デバイスは、１次論理チャネルを、ｒｌｃ−Ｃｏｎｆｉｇ、ｌｏｇｉｃａｌＣｈａｎｎｅｌＩｄｅｎｔｉｔｙおよびｌｏｇｉｃａｌＣｈａｎｎｅｌＣｏｎｆｉｇのフィールドによって記述されかつ設定されたものと判定し、２次論理チャネルを、ｒｌｃ−Ｃｏｎｆｉｇ−Ｄｕｐｌ−ｒ１５、ｌｏｇｉｃａｌＣｈａｎｎｅｌＩｄ−Ｄｕｐｌ−ｖ１５ｘｙおよびｌｏｇｉｃａｌＣｈａｎｎｅｌＣｏｎｆｉｇ−Ｄｕｐｌ−ｖ１５ｘｙのフィールドによって記述されかつ設定されたものと判定する。
【００７０】
ＲＬＣエンティティおよびこれらに対応する論理チャネルが一旦設定されると、無線デバイスは、第１のセル（複数可）および第２のセル（複数可）とデータ（すなわちＲＬＣ  ＰＤＵ）をやり取りすることができる。図４では、無線デバイスと第１のセル（複数可）の間に１次論理チャネルがあり、無線デバイスと第２のセル（複数可）の間に２次論理チャネルがある。そのため、無線デバイスは、１次論理チャネルを通じて第１のセル（複数可）とデータ（すなわちＲＬＣ  ＰＤＵ）をやり取りし（アクションＳ１０６）、２次論理チャネルを通じて第２のセル（複数可）と重複データ（すなわち重複データを搬送するＲＬＣ  ＰＤＵ）をやり取りする（アクションＳ１０８）。無線ネットワークノードは、一般的には、どの論理チャネルをどのセル（複数可）に関連づけるかを決定する。
【００７１】
ある時点において、無線デバイスは、２次論理チャネルをサポートする無線リンクの障害を判定する（アクションＳ１１０）。２次論理チャネルをサポートする無線リンクの障害は、無線デバイスが、２次論理チャネルに関連したＲＬＣエンティティにおいて（再）送信試行が最大回数に達したことを検知したとき判定されてよい。無線デバイスは、２次論理チャネルをサポートする無線リンクの障害を判定すると、この障害を無線ネットワークノードに通知する。いくつかの実施形態では、図４に図示されるように、無線デバイスは、２次論理チャネルをサポートする無線リンクおよび／または２次論理チャネルに関する情報を含むＲＲＣメッセージを送ることによって、２次論理チャネルをサポートする無線リンクの障害について無線ネットワークノードに通知してよい。いくつかの実施形態では、ＲＲＣメッセージは、たとえばＲＲＣ  ＰＤＣＰ−ＤｕｐｌｉｃａｔｉｏｎＦａｉｌｕｒｅＩｎｆｏｒｍａｔｉｏｎメッセージといった、新たに規定されたＲＲＣメッセージでよく、他の実施形態では、ＲＲＣメッセージは、２次論理チャネルをサポートする無線リンクおよび／または２次論理チャネルに関する情報をさらに搬送するように変更された既存のＲＲＣメッセージでもよい。
【００７２】
無線デバイスは、２次論理チャネルをサポートする無線リンクの障害について無線ネットワークノードに通知することに加えて、さらなるアクションを採用してよい。たとえば、いくつかの実施形態では、無線デバイスは、第１のＲＬＣエンティティ（すなわち１次論理チャネルに関連したＲＬＣエンティティ）をアクティブに保ったまま、第２のＲＬＣエンティティ（すなわち２次論理チャネルに関連したＲＬＣエンティティ）を一時停止してよい。
【００７３】
同様に、無線ネットワークノードは、２次論理チャネルをサポートする無線リンクの障害を通知されたとき、さらなるアクションを採用してもよい。たとえば、いくつかの実施形態では、無線ネットワークノードは、第１のＲＬＣエンティティ（すなわち１次論理チャネルに関連したＲＬＣエンティティ）をアクティブに保ったまま、第２のＲＬＣエンティティ（すなわち２次論理チャネルに関連したＲＬＣエンティティ）を一時停止してよい。それに加えて、またはその代わりに、無線ネットワークノードはＰＤＣＰ重複を設定解除するかまたは非活性化してもよい。それに加えて、またはその代わりに、無線ネットワークノードは、障害を起こした無線リンクに関連したセルを設定解除してもよい。
【００７４】
図４には示されていないが、無線デバイスは、１次論理チャネルをサポートする無線リンクの障害を判定した場合には、無線リンク障害プロシージャをトリガしてよく、このプロシージャは、障害を起こした無線リンクの再確立すなわちネットワークに対する接続の再確立を試行することを含み得る。
【００７５】
図５は、いくつかの実施形態による無線デバイスのいくつかの動作を図示する流れ図である。図示のように、無線デバイスは最初に無線ネットワークノードから設定情報を受信してよく、設定情報は、１次論理チャネルをセルの第１のセットにマッピングし、２次論理チャネルを、ＰＤＣＰ重複に用いるセルの第２のセットにマッピングするように指示する（アクションＳ２０２）。設定情報は、無線ネットワークノードからの設定メッセージで受信されてよく、設定メッセージは、１次論理チャネルとセルの第１のセットの間、および２次論理チャネルとセルの第２のセットの間のマッピングを含むかまたは指示する。いくつかの実施形態では、設定メッセージは、ＲＲＣＣｏｎｎｅｃｔｉｏｎＳｅｔｕｐメッセージ（接続のセットアップ中に使用される）またはＲＲＣＣｏｎｎｅｃｔｉｏｎＲｅｃｏｎｆｉｇｕｒａｔｉｏｎメッセージ（接続を再設定するとき使用される）などのＲＲＣメッセージでよい。
【００７６】
無線デバイスは、設定メッセージを受信したとき、無線デバイスの第１のＲＬＣエンティティとセルの第１のセットに関連した第１のＲＬＣエンティティとの間の１次論理チャネル、および、無線デバイスの第２のＲＬＣエンティティとセルの第２のセットに関連した第２のＲＬＣエンティティとの間の２次論理チャネルを設定してよい（アクションＳ２０４）。
【００７７】
一旦、ＲＬＣエンティティおよびＲＬＣエンティティのそれぞれの論理チャネルが適切に設定されると、無線デバイスは、無線デバイスのＰＤＣＰエンティティから受信されたデータを搬送する第１のＲＬＣ  ＰＤＵを、無線デバイスの第１のＲＬＣエンティティから、１次論理チャネルを通じて、セルの第１のセットに関連した第１のＲＬＣエンティティに送信し、無線デバイスのＰＤＣＰエンティティから受信された重複データを搬送する第２のＲＬＣ  ＰＤＵを、無線デバイスの第２のＲＬＣエンティティから、２次論理チャネルを通じて、セルの第２のセットに関連した第２のＲＬＣエンティティに送信してよい（アクションＳ２０６）。
【００７８】
ある時点において、無線デバイスは、２次論理チャネルをサポートする無線リンクの障害を判定するかまたは検知してよい（アクションＳ２０８）。
【００７９】
無線デバイスは、２次論理チャネルをサポートする無線リンクの障害の判定に応答して、２次論理チャネルをサポートする無線リンクの障害について無線ネットワークノードに通知してよい（アクションＳ２１０）。いくつかの実施形態では、無線ネットワークノードに通知することは、２次論理チャネルをサポートする無線リンクの障害に関する情報を含むメッセージを無線ネットワークノードに送信することを含み得る。いくつかの実施形態では、メッセージは、新たに規定されたＰＤＣＰ−ＤｕｐｌｉｃａｔｉｏｎＦａｉｌｕｒｅＩｎｆｏｒｍａｔｉｏｎメッセージなどのＲＲＣメッセージ、あるいは２次論理チャネルをサポートする無線リンクに関する情報および／または２次論理チャネルに関する情報を搬送する既存のＲＲＣメッセージでよい。
【００８０】
無線デバイスは、２次論理チャネルをサポートする無線リンクの障害の判定に応答して、さらに、第１のＲＬＣエンティティをアクティブに保ったまま第２のＲＬＣエンティティを一時停止させてもよい（アクションＳ２１２）。
【００８１】
いくつかの実施形態では、流れ図のブロックは、図とは異なる順序で行われ得ることが理解される。たとえば、連続して示された２つのブロックが、包含される機能性に応じて、実際には実質的に同時に実行されてよく、または逆順で実行されることもあり得る。また、破線のブロックは、少なくともいくつかの実施形態では任意選択と見なされてよい。
【００８２】
図６は、いくつかの実施形態による無線ネットワークノードのいくつかの動作を図示する流れ図である。図示のように、無線ネットワークノードは最初に無線デバイスに設定情報を送信してよく、設定情報は、１次論理チャネルをセルの第１のセットにマッピングし、２次論理チャネルを、ＰＤＣＰ重複に用いるセルの第２のセットにマッピングするように指示する（アクションＳ３０２）。設定情報は、設定メッセージで無線デバイスに送信されてよく、設定メッセージは、１次論理チャネルとセルの第１のセットの間、および２次論理チャネルとセルの第２のセットの間のマッピングを含むかまたは指示する。いくつかの実施形態では、設定メッセージは、ＲＲＣＣｏｎｎｅｃｔｉｏｎＳｅｔｕｐメッセージ（接続のセットアップ中に使用される）またはＲＲＣＣｏｎｎｅｃｔｉｏｎＲｅｃｏｎｆｉｇｕｒａｔｉｏｎメッセージ（接続を再設定するとき使用される）などのＲＲＣメッセージでよい。
【００８３】
一旦、無線デバイスにおいてＲＬＣエンティティおよびこれらのそれぞれの論理チャネルが適切に設定されると、無線ネットワークノードは、無線ネットワークノードのＰＤＣＰエンティティにおいて、データを搬送する第１のＲＬＣ  ＰＤＵおよび重複データを搬送する第２のＲＬＣ  ＰＤＵを受信し、第１のＲＬＣ  ＰＤＵは、無線デバイスの第１のＲＬＣエンティティから、セルの第１のセットに関連した第１のＲＬＣエンティティ経由で１次論理チャネルを通じて受信され、第２のＲＬＣ  ＰＤＵは、無線デバイスの第２のＲＬＣエンティティから、セルの第２のセットに関連した第２のＲＬＣエンティティ経由で２次論理チャネルを通じて受信される（アクションＳ３０４）。
【００８４】
ある時点において、無線ネットワークノードは、無線デバイスから、２次論理チャネルをサポートする無線リンクの障害に関する通知を受信してよい（アクションＳ３０６）。いくつかの実施形態では、通知を受信することは、無線デバイスから、２次論理チャネルをサポートする無線リンクの障害に関する情報を含むメッセージを受信することを含み得る。いくつかの実施形態では、メッセージは、新たに規定されたＰＤＣＰ−ＤｕｐｌｉｃａｔｉｏｎＦａｉｌｕｒｅＩｎｆｏｒｍａｔｉｏｎメッセージなどのＲＲＣメッセージ、あるいは２次論理チャネルをサポートする無線リンクに関する情報および／または２次論理チャネルに関する情報を搬送する既存のＲＲＣメッセージでよい。
【００８５】
無線ネットワークノードは、無線デバイスから通知を受信することに応答して、セルの第１のセットに関連したＲＬＣエンティティをアクティブに保ったまま、セルの第２のセットに関連したＲＬＣエンティティを一時停止させてよい（アクションＳ３０８）。無線ネットワークノードは、それに加えて、またはその代わりに、障害を起こした無線リンクに関連するセルの設定解除など他のアクションを遂行してもよい。
【００８６】
いくつかの実施形態では、流れ図のブロックは、図とは異なる順序で生じ得ることが理解される。たとえば、連続して示された２つのブロックが、包含される機能性に応じて、実際には実質的に同時に実行されてよく、または逆順で実行されることもあり得る。また、破線のブロックは、少なくともいくつかの実施形態では任意選択と見なされてよい。
【００８７】
次に、図７および図８を参照しながら無線デバイス（ＷＤ）１１０のいくつかの実施形態を説明する。無線デバイスの表現が本明細書全体にわたって使用されるが、この表現は総称的に使用されることを理解されたい。その意味で、無線デバイスは、一般に、１つまたは複数のネットワークノード（たとえば無線ネットワークノード）ならびに／あるいは１つまたは複数の他の無線デバイスと無線通信が可能な、無線通信するように設定された、構成された、かつ／または動作可能な、デバイスを指す。いくつかの実施形態では、無線デバイスは、人間との直接的な相互作用なしで情報を送受信するように設定され得る。そのような無線デバイスは、マシンタイプ通信（ＭＴＣ）デバイスまたはＭａｃｈｉｎｅ−ｔｏ−Ｍａｃｈｉｎｅ（Ｍ２Ｍ）デバイスと称され得る。
【００８８】
特に、無線デバイスを参照するかまたは説明するとき、異なる通信規格が異なる専門用語を使用することがある。たとえば、３ＧＰＰは、ユーザ機器（ＵＥ）、移動機器（ＭＥ）および移動端末（ＭＴ）という用語を使用する。この部分に関して、３ＧＰＰ２はアクセス端末（ＡＴ）および移動局（ＭＳ）という用語を使用する。また、ＩＥＥＥ  ８０２．１１（Ｗｉ−Ｆｉ（商標）としても知られている）は局（ＳＴＡ）という用語を使用する。当然、無線デバイスという総称表現はこれらの用語を包含する。
【００８９】
図７は、いくつかの実施形態による例示的無線デバイス１１０のブロック図である。無線デバイス１１０は、トランシーバ１１２、プロセッサ１１４、および記憶装置１１６のうち１つまたは複数を含む。いくつかの実施形態では、トランシーバ１１２は、（たとえば送信機（複数可）（Ｔｘ）１１８、受信機（複数可）（Ｒｘ）１２０、およびアンテナ（複数可）１２２を介した）無線ネットワークノード１３０との間の無線信号の送受信を促進する。プロセッサ１１４は、無線デバイス１１０によって提供されるものとして上記で説明された機能性のいくつかまたはすべてを提供するための命令を実行し、記憶装置１１６はプロセッサ１１４によって実行される命令を記憶する。いくつかの実施形態では、プロセッサ１１４および記憶装置１１６は処理回路１２４を形成する。
【００９０】
プロセッサ１１４は、ハードウェアの任意の適切な組合せを含み得て、命令を実行し、データを扱って、前述の無線デバイス１１０の機能など無線デバイス１１０の説明された機能のうちいくつかまたはすべてを遂行する。いくつかの実施形態では、プロセッサ１１４は、たとえば１つまたは複数のコンピュータ、１つまたは複数の中央処理装置（ＣＰＵ）、１つまたは複数のマイクロプロセッサ、１つまたは複数の特定用途向け集積回路（ＡＳＩＣ）、１つまたは複数のフィールドプログラマブルゲートアレイ（ＦＰＧＡ）および／または他の論理回路を含み得る。
【００９１】
記憶装置１１６は、一般に、論理、ルール、アルゴリズム、コード、表などのうち１つまたは複数を含むコンピュータプログラム、ソフトウェア、アプリケーション、および／またはプロセッサによって実行可能な他の命令などの命令を記憶するように動作可能である。記憶装置の例には、コンピュータメモリ（たとえばランダムアクセスメモリ（ＲＡＭ）または読取り専用メモリ（ＲＯＭ））、大容量記憶媒体（たとえばハードディスク）、取外し可能記憶媒体（たとえばコンパクトディスク（ＣＤ）またはデジタルビデオディスク（ＤＶＤ））、ならびに／あるいは無線デバイス１１０のプロセッサによって使用され得る情報、データおよび／または命令を記憶するその他の揮発性もしくは不揮発性の、コンピュータ可読かつ／またはコンピュータ実行可能な非一時的記憶デバイスが含まれる。
【００９２】
無線デバイス１１０の他の実施形態は、図７に示されたもの以上に、前述の機能性のうち任意のものおよび／または（前述の解決策をサポートするのに必要な何らかの機能性を含む）何らかの追加機能性を含めて、無線デバイスのある特定の態様をもたらす機能性を担う追加の構成要素を含み得る。単なる一例として、無線デバイス１１０は、入力のデバイスおよび回路、出力デバイス、ならびに１つまたは複数の同期式のユニットまたは回路を含み得、これらはプロセッサの一部分でよい。入力デバイスは、無線デバイス１１０にデータを入力するための機構を含む。一例として、無線デバイス１１０は入力デバイスおよび出力デバイスなどの追加のハードウェア１２６を含み得る。入力デバイスは、マイクロフォン、入力要素、表示器などの入力機構を含む。出力デバイスは、データを、音声、映像および／またはハードコピーのフォーマットで出力するための機構を含む。たとえば、出力デバイスはスピーカ、表示器などを含み得る。
【００９３】
図８は、いくつかの実施形態による別の例示的無線デバイス１１０のブロック図である。図示のように、いくつかの実施形態では、無線デバイス１１０は、前述の無線デバイス１１０の機能性のいくつかまたはすべてを実施するように設定された一連のモジュール（またはユニット）１２８を備え得る。より詳細には、いくつかの実施形態では、無線デバイス１１０が備え得る送信モジュールは、無線デバイスのＰＤＣＰエンティティから受信されたデータを搬送する第１のＲＬＣ  ＰＤＵを、無線デバイスの第１のＲＬＣエンティティから、１次論理チャネルを通じて、セルの第１のセットに関連した第１のＲＬＣエンティティに送信し、無線デバイスのＰＤＣＰエンティティから受信された重複データを搬送する第２のＲＬＣ  ＰＤＵを、無線デバイスの第２のＲＬＣエンティティから、２次論理チャネルを通じて、セルの第２のセットに関連した第２のＲＬＣエンティティに送信するように設定されている。無線デバイス１１０はまた、２次論理チャネルをサポートする無線リンクの障害を判定するように設定された判定モジュールと、２次論理チャネルをサポートする無線リンクの障害について無線ネットワークノードに通知するように設定された通知モジュールとを備え得る。
【００９４】
様々なモジュール１２８が、たとえば図７に示された無線デバイス１１０のプロセッサ１１４と、記憶装置１１６と、トランシーバ（複数可）１１２との組合せといったハードウェアおよび／またはソフトウェアとして実施され得ることが諒解されよう。いくつかの実施形態は、追加の機能性および／または任意選択の機能性をサポートするための追加モジュール１２８も含み得る。
【００９５】
次に、図９および図１０を参照しながら無線ネットワークノード１３０の実施形態を説明する。無線ネットワークノードの表現が本明細書全体にわたって使用されるが、この表現は総称的に使用されることを理解されたい。その意味で、無線ネットワークノードは、一般的には、無線デバイス（複数可）に対する無線アクセスを可能にするため、および／またはもたらすため、ならびに／あるいは無線ネットワークにおいて他の機能（たとえば管理）を遂行するために、無線ネットワークにおける１つまたは複数の無線デバイスおよび／または他のネットワークノードもしくは機器と直接的または間接的に通信することができる、通信するように設定された、配置された、かつ／または動作可能な、機器または機器の組合せを指す。
【００９６】
特に、無線ネットワークノードを参照するかまたは説明するとき、異なる通信規格が異なる専門用語を使用することがある。たとえば、３ＧＰＰは、ノードＢ（ＮＢ）、エボルブドノードＢ（ｅＮＢ）、次世代ノードＢ（ｇＮＢ）、無線ネットワークコントローラ（ＲＮＣ）、および基地局（ＢＳ）という用語を使用する。この部分に関して、３ＧＰＰ２は、アクセスノード（ＡＮ）、基地局（ＢＳ）、および基地局コントローラ（ＢＳＣ）という用語を使用する。また、ＩＥＥＥ  ８０２．１１（Ｗｉ−Ｆｉ（商標）としても知られている）はアクセスポイント（ＡＰ）を使用する。当然、無線ネットワークノードという総称表現はこれらの用語を包含する。
【００９７】
図９は、いくつかの実施形態による例示的無線ネットワークノード１３０のブロック図である。無線ネットワークノード１３０は、トランシーバ１３２、プロセッサ１３４、記憶装置１３６、および１つまたは複数の通信インターフェース１４６のうち１つまたは複数を含み得る。いくつかの実施形態では、トランシーバ１３２は、（たとえば送信機（複数可）（Ｔｘ）１３８、受信機（複数可）（Ｒｘ）１４０、およびアンテナ（複数可）１４２を介した）無線デバイス１１０との間の無線信号の送受信を促進する。プロセッサ１３４は、無線ネットワークノード１３０によって提供されるものとして上記で説明された機能性のいくつかまたはすべてを提供するための命令を実行し、記憶装置１３６はプロセッサ１３４によって実行される命令を記憶する。いくつかの実施形態では、プロセッサ１３４および記憶装置１３６は処理回路１４４を形成する。通信インターフェース（複数可）１４６は、無線ネットワーク１３０が、（無線アクセスネットワークインターフェースを介して）他の無線ネットワークノードを含む他のネットワークノードと通信すること、および（コアネットワークインターフェースを介して）コアネットワークノードと通信することを可能にする。
【００９８】
プロセッサ１３４は、ハードウェアの任意の適切な組合せを含み得て、命令を実行し、データを扱って、無線ネットワークノード１３０の、上記で説明されたものなどの説明された機能のうちいくつかまたはすべてを遂行する。いくつかの実施形態では、プロセッサ１３４は、たとえば１つまたは複数のコンピュータ、１つまたは複数の中央処理装置（ＣＰＵ）、１つまたは複数のマイクロプロセッサ、１つまたは複数の特定用途向け集積回路（ＡＳＩＣ）、１つまたは複数のフィールドプログラマブルゲートアレイ（ＦＰＧＡ）および／または他の論理回路を含み得る。
【００９９】
記憶装置１３６は、一般に、論理、ルール、アルゴリズム、コード、表などのうち１つまたは複数を含むコンピュータプログラム、ソフトウェア、アプリケーション、および／またはプロセッサによって実行可能な他の命令などの命令を記憶するように動作可能である。記憶装置の例には、コンピュータメモリ（たとえばランダムアクセスメモリ（ＲＡＭ）または読取り専用メモリ（ＲＯＭ））、大容量記憶媒体（たとえばハードディスク）、取外し可能記憶媒体（たとえばコンパクトディスク（ＣＤ）またはデジタルビデオディスク（ＤＶＤ））、ならびに／あるいは情報を記憶するその他の揮発性もしくは不揮発性の、コンピュータ可読かつ／またはコンピュータ実行可能な非一時的記憶デバイスが含まれる。
【０１００】
いくつかの実施形態では、通信インターフェース１４６は、プロセッサ１３４に対して通信可能に結合されており、無線ネットワークノード１３０向けの入力を受信し、無線ネットワークノード１３０から出力を送り、入力または出力または両方を適切に処理し、他のデバイスと通信するか、またはこれらのことの任意の組合せを行うように動作可能な任意の適切なデバイスを指し得る。通信インターフェース１４６は、ネットワークを通じて通信するために、プロトコル変換およびデータ処理の能力を含む適切なハードウェア（たとえばポート、モデム、ネットワークインターフェースカードなど）およびソフトウェアを含み得る。
【０１０１】
無線ネットワークノード１３０の他の実施形態は、図９に示されたもの以上に、前述の機能性のうち任意のものおよび／または（前述の解決策をサポートするのに必要な何らかの機能性を含む）何らかの追加機能性を含めて、無線ネットワークノードのある特定の態様をもたらす機能性を担う追加の構成要素を含み得る。様々な異なるタイプのネットワークノードは、同一の物理的ハードウェアを有する構成要素を含み得るが、（たとえばプログラミングによって）異なる無線アクセス技術をサポートするように設定されており、または部分的もしくは全面的に異なる物理的構成要素を表し得る。
【０１０２】
いくつかの実施形態では、無線ネットワークノード１３０は、前述の無線ネットワークノード１３０の機能性のいくつかまたはすべてを実施するように設定された一連のモジュール（またはユニット）１４８を備え得る。図１０を参照して、いくつかの実施形態では、無線ネットワークノード１３０が備え得る（第１の）受信モジュールは、無線ネットワークノードのＰＤＣＰエンティティにおいて、データを搬送する第１のＲＬＣ  ＰＤＵと、重複データを搬送する第２のＲＬＣ  ＰＤＵとを受信するように設定されており、第１のＲＬＣ  ＰＤＵは、無線デバイスの第１のＲＬＣエンティティから、セルの第１のセットに関連した第１のＲＬＣエンティティ経由で１次論理チャネルを通じて受信され、第２のＲＬＣ  ＰＤＵは、無線デバイスの第２のＲＬＣエンティティから、セルの第２のセットに関連した第２のＲＬＣエンティティ経由で２次論理チャネルを通じて受信される。無線ネットワークノード１３０は、２次論理チャネルをサポートする無線リンクの障害に関する通知を無線デバイスから受信するように設定された（第２の）受信モジュールも備え得る。
【０１０３】
様々なモジュール１４８が、たとえば図９に示された無線ネットワークノード１３０のプロセッサ１３４、記憶装置１３６、およびトランシーバ（複数可）１３２の組合せといったハードウェアおよび／またはソフトウェアとして実施され得ることが諒解されよう。いくつかの実施形態は、追加の機能性および／または任意選択の機能性をサポートするための追加モジュール１４８も含み得る。
【０１０４】
いくつかの実施形態は、マシン可読媒体（コンピュータ可読媒体、プロセッサ可読媒体、または具現化されたコンピュータ可読プログラムコードを有するコンピュータ使用可能媒体とも称される）に記憶された非一時的ソフトウェア製品として表され得る。マシン可読媒体は、ディスケット、コンパクトディスク読取り専用メモリ（ＣＤ−ＲＯＭ）、デジタル多用途ディスク読取り専用メモリ（ＤＶＤ−ＲＯＭ）、（揮発性もしくは不揮発性の）記憶デバイス、または類似の記憶機構を含む磁気記憶媒体、光記憶媒体、または電気的記憶媒体を含んでいる任意の適切な有形的表現媒体でよい。プロセッサは、マシン可読媒体が含有し得る命令、コードシーケンス、設定情報、または他のデータの様々なセットを実行することにより、説明された実施形態のうち１つまたは複数による方法のステップを遂行する。当業者なら、説明された実施形態を実施するのに必要な他の命令および動作もマシン可読媒体に記憶され得ることを諒解するであろう。マシン可読媒体から動作するソフトウェアは、説明されたタスクを遂行するために回路とインターフェースをとり得る。
【０１０５】
前述の実施形態は単なる例として意図されている。当業者によって、特定の実施形態に対する改変形態、修正形態および変形形態が、本明細書の範囲から逸脱することなく達成され得る。
省略形および頭字語
【０１０６】
本明細書は以下の省略形および／または頭字語を含み得る。
【０１０７】
ＤＣ  デュアルコネクティビティ
【０１０８】
ｅＮＢ  エボルブドノードＢ
【０１０９】
ＥＵＴＲＡＮ  エボルブド地上無線アクセスネットワーク
【０１１０】
ＭＡＣ  媒体アクセス制御
【０１１１】
ＭＣＧ  マスタセルグループ
【０１１２】
ＰＤＣＰ  パケットデータコンバージェンスプロトコル
【０１１３】
ＰＤＵ  プロトコルデータユニット
【０１１４】
ＲＬＣ  無線リンク制御
【０１１５】
ＲＬＦ  無線リンク障害
【０１１６】
ＲＲＣ  無線リソース制御
【０１１７】
ＳＣＧ  ２次セルグループ
【０１１８】
ＵＥ  ユーザ機器
【０１１９】
ＵＭＴＳ  ユニバーサル移動通信システム
RELATED STANDARD REFERENCES
【０１２０】
The following references may be related to the present description:
【０１２１】
3GPP TS 36.323 V14.5.0 - Packet Data Convergence Protocol (PDCP) Specification
【０１２２】
3GPP TS 36.331 V15.0.1 - Radio Resource Control (RRC) Protocol Specification
【図１】
2021520718.tif 000007
【図２Ａ】
2021520718.tif 000008
【図２Ｂ】
2021520718.tif 000009
【図３Ａ】
2021520718.tif 000010
【図３Ｂ】
2021520718.tif 000011
【図４】
2021520718.tif 000012
【図５】
2021520718.tif 000013
【図６】
2021520718.tif 000014
【図７】
2021520718.tif 000015
【図８】
2021520718.tif 000016
【図９】
2021520718.tif 000017
【図１０】
2021520718.tif 000018
【手続補正書】
【提出日】令和2年5月6日(2020.5.6)
【手続補正１】
【補正対象書類名】特許請求の範囲
【補正対象項目名】全文
【補正方法】変更
【補正の内容】
【特許請求の範囲】
【請求項１】
少なくともセルの第１のセットおよびセルの第２のセットによってサーブされる無線デバイスにおける方法であって、前記無線デバイスは、少なくとも１つの無線ネットワークノードに接続されて、重複モードで動作し、前記方法は、
前記無線デバイスのパケットデータコンバージェンスプロトコル（ＰＤＣＰ）エンティティから受信されたデータを搬送する第１の無線リンク制御（ＲＬＣ）プロトコルデータユニット（ＰＤＵ）を、前記無線デバイスの第１のＲＬＣエンティティから、１次論理チャネルを通じて、前記セルの第１のセットに関連した第１のＲＬＣエンティティに送信し、前記無線デバイスの前記ＰＤＣＰエンティティから受信された重複データを搬送する第２のＲＬＣ  ＰＤＵを、前記無線デバイスの第２のＲＬＣエンティティから、２次論理チャネルを通じて、前記セルの第２のセットに関連した第２のＲＬＣエンティティに送信することと、
前記２次論理チャネルをサポートする無線リンクの障害を判定することと、
前記２次論理チャネルをサポートする無線リンクの障害の判定に応答して、前記２次論理チャネルをサポートする無線リンクの前記障害について前記無線ネットワークノードに通知することと、
を含む方法において、
前記２次論理チャネルをサポートする無線リンクの前記障害について前記無線ネットワークノードに通知することが、前記２次論理チャネルをサポートする無線リンクの前記障害に関する情報を含むメッセージを前記無線ネットワークノードに送信することを含み、前記２次論理チャネルをサポートする無線リンクの前記障害に関する情報が、前記２次論理チャネルの識別情報、前記セルの第２のセットのうち少なくとも１つのセルの識別情報、前記２次論理チャネルを搬送するベアラの識別情報、および／または前記２次論理チャネルをサポートする前記無線リンクに関連した周波数リソースの識別情報を含む、方法。
【請求項２】
前記メッセージが無線リソース制御（ＲＲＣ）メッセージである、請求項１に記載の方法。
【請求項３】
前記メッセージがＰＤＣＰ−ＤｕｐｌｉｃａｔｉｏｎＦａｉｌｕｒｅＩｎｆｏｒｍａｔｉｏｎメッセージである、請求項２に記載の方法。
【請求項４】
前記２次論理チャネルをサポートする無線リンクの障害の判定に応答して、前記無線デバイスの前記第１のＲＬＣエンティティをアクティブに保ったまま前記第２のＲＬＣエンティティを一時停止することをさらに含む請求項１から３のいずれか一項に記載の方法。
【請求項５】
前記１次論理チャネルが前記セルの第１のセットにマッピングされ、前記２次論理チャネルが前記セルの第２のセットにマッピングされることを指示する設定情報を、前記無線ネットワークノードから受信することをさらに含む請求項１から４のいずれか一項に記載の方法。
【請求項６】
前記無線ネットワークノードから設定情報を受信することに応答して、前記１次論理チャネルおよび前記２次論理チャネルを設定し、前記１次論理チャネルを前記セルの第１のセットにマッピングし、前記２次論理チャネルを前記セルの第２のセットにマッピングすることをさらに含む請求項５に記載の方法。
【請求項７】
前記無線ネットワークノードから設定情報を受信することが、前記１次論理チャネルが前記セルの第１のセットにマッピングされ、前記２次論理チャネルが前記セルの第２のセットにマッピングされることを指示する設定メッセージを、前記無線ネットワークノードから受信することを含む、請求項５または６に記載の方法。
【請求項８】
前記設定メッセージが無線リソース制御（ＲＲＣ）メッセージである、請求項７に記載の方法。
【請求項９】
前記設定メッセージがＲＲＣＣｏｎｎｅｃｔｉｏｎＳｅｔｕｐメッセージまたはＲＲＣＣｏｎｎｅｃｔｉｏｎＲｅｃｏｎｆｉｇｕｒａｔｉｏｎメッセージである、請求項８に記載の方法。
【請求項１０】
前記セルの第１のセットと前記セルの第２のセットが両方とも前記無線ネットワークノードによって管理される、請求項１から９のいずれか一項に記載の方法。
【請求項１１】
前記セルの第１のセットが前記無線ネットワークノードによって管理され、前記セルの第２のセットが別の無線ネットワークノードによって管理される、請求項１から９のいずれか一項に記載の方法。
【請求項１２】
前記セルの第１のセットが１つまたは複数のセルを備え、前記セルの第２のセットが１つまたは複数のセルを備える、請求項１から１１のいずれか一項に記載の方法。
【請求項１３】
少なくともセルの第１のセットおよびセルの第２のセットによってサーブされ、少なくとも１つの無線ネットワークノードに接続されるように設定された無線デバイスであって、重複モードで動作するとき、
前記無線デバイスのパケットデータコンバージェンスプロトコル（ＰＤＣＰ）エンティティから受信されたデータを搬送する第１の無線リンク制御（ＲＬＣ）プロトコルデータユニット（ＰＤＵ）を、前記無線デバイスの第１のＲＬＣエンティティから、１次論理チャネルを通じて、前記セルの第１のセットに関連した第１のＲＬＣエンティティに送信し、前記無線デバイスの前記ＰＤＣＰエンティティから受信された重複データを搬送する第２のＲＬＣ  ＰＤＵを、前記無線デバイスの第２のＲＬＣエンティティから、２次論理チャネルを通じて、前記セルの第２のセットに関連した第２のＲＬＣエンティティに送信し、
前記２次論理チャネルをサポートする無線リンクの障害を判定し、
前記２次論理チャネルをサポートする無線リンクの障害の判定に応答して、前記２次論理チャネルをサポートする無線リンクの前記障害について前記無線ネットワークノードに通知するように適合されており、前記２次論理チャネルをサポートする無線リンクの前記障害について前記無線ネットワークノードに通知するとき、前記２次論理チャネルをサポートする無線リンクの前記障害に関する情報を含むメッセージを前記無線ネットワークノードに送信に通知するように適合されており、
前記２次論理チャネルをサポートする無線リンクの前記障害に関する情報が、前記２次論理チャネルの識別情報、前記セルの第２のセットのうち少なくとも１つのセルの識別情報、前記２次論理チャネルを搬送するベアラの識別情報、および／または前記２次論理チャネルをサポートする前記無線リンクに関連した周波数リソースの識別情報を含む、無線デバイス。
【請求項１４】
前記メッセージが無線リソース制御（ＲＲＣ）メッセージである、請求項１３に記載の無線デバイス。
【請求項１５】
前記メッセージがＰＤＣＰ−ＤｕｐｌｉｃａｔｉｏｎＦａｉｌｕｒｅＩｎｆｏｒｍａｔｉｏｎメッセージである、請求項１４に記載の無線デバイス。
【請求項１６】
前記２次論理チャネルをサポートする無線リンクの障害の判定に応答して、前記無線デバイスの前記第１のＲＬＣエンティティをアクティブに保ったまま前記第２のＲＬＣエンティティを一時停止するようにさらに適合されている請求項１３から１５のいずれか一項に記載の無線デバイス。
【請求項１７】
前記１次論理チャネルが前記セルの第１のセットにマッピングされ、前記２次論理チャネルが前記セルの第２のセットにマッピングされることを指示する設定情報を、前記無線ネットワークノードから受信するようにさらに適合されている請求項１３から１６のいずれか一項に記載の無線デバイス。
【請求項１８】
前記無線ネットワークノードから設定情報を受信することに応答して、前記１次論理チャネルおよび前記２次論理チャネルを設定し、前記１次論理チャネルを前記セルの第１のセットにマッピングし、前記２次論理チャネルを前記セルの第２のセットにマッピングするようにさらに適合されている請求項１７に記載の無線デバイス。
【請求項１９】
前記無線ネットワークノードから設定情報を受信するとき、前記１次論理チャネルが前記セルの第１のセットにマッピングされ、前記２次論理チャネルが前記セルの第２のセットにマッピングされることを指示する設定メッセージを、前記無線ネットワークノードから受信するようにさらに適合されている請求項１７または１８に記載の無線デバイス。
【請求項２０】
前記設定メッセージが無線リソース制御（ＲＲＣ）メッセージである、請求項１９に記載の無線デバイス。
【請求項２１】
前記設定メッセージがＲＲＣＣｏｎｎｅｃｔｉｏｎＳｅｔｕｐメッセージまたはＲＲＣＣｏｎｎｅｃｔｉｏｎＲｅｃｏｎｆｉｇｕｒａｔｉｏｎメッセージである、請求項２０に記載の無線デバイス。
【請求項２２】
前記セルの第１のセットと前記セルの第２のセットが両方とも前記無線ネットワークノードによって管理される、請求項１３から２１のいずれか一項に記載の無線デバイス。
【請求項２３】
前記セルの第１のセットが前記無線ネットワークノードによって管理され、前記セルの第２のセットが別の無線ネットワークノードによって管理される、請求項１３から２１のいずれか一項に記載の無線デバイス。
【請求項２４】
前記セルの第１のセットが１つまたは複数のセルを備え、前記セルの第２のセットが１つまたは複数のセルを備える、請求項１３から２３のいずれか一項に記載の無線デバイス。
【請求項２５】
媒体内に組み込まれたコンピュータ可読プログラムコードを有する非一時的コンピュータ可読記憶媒体を備えるコンピュータプログラム製品であって、前記コンピュータ可読プログラムコードが、請求項１から１２のいずれか一項に記載の方法に従って動作するコンピュータ可読プログラムコードを含む、コンピュータプログラム製品。
【請求項２６】
無線デバイスに接続された無線ネットワークノードにおける方法であって、前記無線デバイスは、少なくともセルの第１のセットおよびセルの第２のセットによってサーブされ、前記無線ネットワークノードは重複モードで動作し、前記方法は、
前記セルの第１のセットに関連した第１の無線リンク制御（ＲＬＣ）エンティティにおいて受信されたデータを搬送する第１のＲＬＣプロトコルデータユニット（ＰＤＵ）を、前記無線デバイスの第１のＲＬＣエンティティから、１次論理チャネルを通じて、前記無線ネットワークノードのパケットデータコンバージェンスプロトコル（ＰＤＣＰ）エンティティにおいて受信し、前記セルの第２のセットに関連した第２のＲＬＣエンティティにおいて受信された重複データを搬送する第２のＲＬＣ  ＰＤＵを、前記無線デバイスの第２のＲＬＣエンティティから、２次論理チャネルを通じて受信することと、
前記無線デバイスから、前記２次論理チャネルをサポートする無線リンクの障害に関する通知を受信することであって、前記無線デバイスから、前記２次論理チャネルをサポートする無線リンクの障害に関する通知を受信することは、前記無線デバイスから、前記２次論理チャネルをサポートする無線リンクの前記障害に関する情報を含むメッセージを受信することを含む、通知を受信することと、
を含む方法において、前記２次論理チャネルをサポートする無線リンクの前記障害に関する情報が、前記２次論理チャネルの識別情報、前記セルの第２のセットのうち少なくとも１つのセルの識別情報、前記２次論理チャネルを搬送するベアラの識別情報、および／または前記２次論理チャネルをサポートする前記無線リンクに関連した周波数リソースの識別情報を含む、方法。
【請求項２７】
前記無線デバイスから前記メッセージを受信することに応答して、前記セルの第１のセットに関連した前記第１のＲＬＣエンティティをアクティブにしたまま、前記セルの第２のセットに関連した前記第２のＲＬＣエンティティを一時停止することをさらに含む請求項２６に記載の方法。
【請求項２８】
前記１次論理チャネルが前記セルの第１のセットにマッピングされ、前記２次論理チャネルが前記セルの第２のセットにマッピングされることを指示する設定情報を、前記無線デバイスに送信することをさらに含む請求項２６または２７に記載の方法。
【請求項２９】
前記無線デバイスに設定情報を送信することが、前記１次論理チャネルが前記セルの第１のセットにマッピングされ、前記２次論理チャネルが前記セルの第２のセットにマッピングされることを指示する設定メッセージを前記無線デバイスに送信することを含む、請求項２８に記載の方法。
【請求項３０】
前記設定メッセージが無線リソース制御（ＲＲＣ）メッセージである、請求項２９に記載の方法。
【請求項３１】
前記設定メッセージがＲＲＣＣｏｎｎｅｃｔｉｏｎＳｅｔｕｐメッセージまたはＲＲＣＣｏｎｎｅｃｔｉｏｎＲｅｃｏｎｆｉｇｕｒａｔｉｏｎメッセージである、請求項３０に記載の方法。
【請求項３２】
前記メッセージが無線リソース制御（ＲＲＣ）メッセージである、請求項２６から３１のいずれか一項に記載の方法。
【請求項３３】
前記メッセージがＰＤＣＰ−ＤｕｐｌｉｃａｔｉｏｎＦａｉｌｕｒｅＩｎｆｏｒｍａｔｉｏｎメッセージである、請求項３２に記載の方法。
【請求項３４】
前記セルの第１のセットと前記セルの第２のセットが両方とも前記無線ネットワークノードによって管理される、請求項２６から３３のいずれか一項に記載の方法。
【請求項３５】
前記セルの第１のセットが前記無線ネットワークノードによって管理され、前記セルの第２のセットが別の無線ネットワークノードによって管理される、請求項２６から３３のいずれか一項に記載の方法。
【請求項３６】
前記セルの第１のセットが１つまたは複数のセルを備え、前記セルの第２のセットが１つまたは複数のセルを備える、請求項２６から３５のいずれか一項に記載の方法。
【請求項３７】
無線デバイスに接続されるように設定されている無線ネットワークノードであって、前記無線デバイスは、少なくともセルの第１のセットおよびセルの第２のセットによってサーブされるように設定され、前記無線ネットワークノードは、重複モードで動作するとき、
前記セルの第１のセットに関連した第１の無線リンク制御（ＲＬＣ）エンティティにおいて受信されたデータを搬送する第１のＲＬＣプロトコルデータユニット（ＰＤＵ）を、前記無線デバイスの第１のＲＬＣエンティティから、１次論理チャネルを通じて、前記無線ネットワークノードのパケットデータコンバージェンスプロトコル（ＰＤＣＰ）エンティティにおいて受信し、前記セルの第２のセットに関連した第２のＲＬＣエンティティにおいて受信された重複データを搬送する第２のＲＬＣ  ＰＤＵを、前記無線デバイスの第２のＲＬＣエンティティから、２次論理チャネルを通じて受信し、
前記無線デバイスから、前記２次論理チャネルをサポートする無線リンクの障害に関する通知を受信するように適合されており、前記無線デバイスから、前記２次論理チャネルをサポートする無線リンクの前記障害に関する通知を受信するとき、前記無線デバイスから、前記２次論理チャネルをサポートする無線リンクの前記障害に関する情報を含むメッセージを受信するように適合されている無線ネットワークノードにおいて、前記２次論理チャネルをサポートする無線リンクの前記障害に関する情報が、前記２次論理チャネルの識別情報、前記セルの第２のセットのうち少なくとも１つのセルの識別情報、前記２次論理チャネルを搬送するベアラの識別情報、および／または前記２次論理チャネルをサポートする前記無線リンクに関連した周波数リソースの識別情報を含む、無線ネットワークノード。
【請求項３８】
前記無線デバイスから前記メッセージを受信することに応答して、前記セルの第１のセットに関連した前記第１のＲＬＣエンティティをアクティブにしたまま、前記セルの第２のセットに関連した前記第２のＲＬＣエンティティを一時停止するようにさらに適合されている請求項３７に記載の無線ネットワークノード。
【請求項３９】
前記１次論理チャネルが前記セルの第１のセットにマッピングされ、前記２次論理チャネルが前記セルの第２のセットにマッピングされることを指示する設定情報を、前記無線デバイスに送信するようにさらに適合されている請求項３７または３８に記載の無線ネットワークノード。
【請求項４０】
前記無線デバイスに設定情報を送信するとき、前記１次論理チャネルが前記セルの第１のセットにマッピングされ、前記２次論理チャネルが前記セルの第２のセットにマッピングされることを指示する設定メッセージを前記無線デバイスに送信するようにさらに適合されている請求項３９に記載の無線ネットワークノード。
【請求項４１】
前記設定メッセージが無線リソース制御（ＲＲＣ）メッセージである、請求項４０に記載の無線ネットワークノード。
【請求項４２】
前記設定メッセージがＲＲＣＣｏｎｎｅｃｔｉｏｎＳｅｔｕｐメッセージまたはＲＲＣＣｏｎｎｅｃｔｉｏｎＲｅｃｏｎｆｉｇｕｒａｔｉｏｎメッセージである、請求項４１に記載の無線ネットワークノード。
【請求項４３】
前記メッセージが無線リソース制御（ＲＲＣ）メッセージである、請求項３７から４２のいずれか一項に記載の無線ネットワークノード。
【請求項４４】
前記メッセージがＰＤＣＰ−ＤｕｐｌｉｃａｔｉｏｎＦａｉｌｕｒｅＩｎｆｏｒｍａｔｉｏｎメッセージである、請求項４３に記載の無線ネットワークノード。
【請求項４５】
前記セルの第１のセットと前記セルの第２のセットが両方とも前記無線ネットワークノードによって管理される、請求項３７から４４のいずれか一項に記載の無線ネットワークノード。
【請求項４６】
前記セルの第１のセットが前記無線ネットワークノードによって管理され、前記セルの第２のセットが別の無線ネットワークノードによって管理される、請求項３７から４４のいずれか一項に記載の無線ネットワークノード。
【請求項４７】
前記セルの第１のセットが１つまたは複数のセルを備え、前記セルの第２のセットが１つまたは複数のセルを備える、請求項３７から４６のいずれか一項に記載の無線ネットワークノード。
【請求項４８】
媒体内に組み込まれたコンピュータ可読プログラムコードを有する非一時的コンピュータ可読記憶媒体を備えるコンピュータプログラム製品であって、前記コンピュータ可読プログラムコードが、請求項２６から３６のいずれか一項に記載の方法に従って動作するコンピュータ可読プログラムコードを含む、コンピュータプログラム製品。
【国際調査報告】
2021520718.tif 000019
2021520718.tif 000020